(57)【特許請求の範囲】
【請求項１】
景品払い出し情報に基づいて、景品部材を積層して収納する景品収納部に収納された景品部材を搬送して払い出す景品払出機において、
所定の指示に基づいて、前記景品収納部に収納された景品部材を払い出し可能な状態を解除する制御手段と、
前記景品収納部を１つまたは複数有して構成される景品カートリッジと、
前記景品カートリッジを挿入する景品カートリッジ挿入口を閉鎖する閉鎖手段と
を具備し、
前記制御手段が、前記所定の指示に基づいて、前記景品カートリッジを取り出しできるように前記閉鎖手段を開状態とする、または前記景品カートリッジを取り出しできないように前記閉鎖手段を閉状態とすることが可能なことを特徴とする景品払出機。
【請求項２】
前記閉鎖手段が、少なくとも、景品カートリッジ挿入口を開閉する開閉扉を備え、
前記制御手段が、前記所定の指示に基づいて、前記開閉扉を開扉可能または閉扉可能にすることを特徴とする請求項１記載の景品払出機。
【請求項３】
前記景品収納部に収納された景品部材および／または前記景品カートリッジを移動可能な移動機構を備えることを特徴とする請求項１または２記載の景品払出機。
【請求項４】
前記景品収納部の景品部材の有無を検知する景品部材検知手段をさらに具備し、
前記所定の指示が、前記景品部材検知手段から出力される情報に基づくものであることを特徴とする請求項１乃至３のいずれか１項記載の景品払出機。
【請求項５】
前記景品カートリッジを挿入する側に設けられた背面扉の開扉を検知する開扉検知手段をさらに具備し、
前記所定の指示が、前記開扉検知手段から出力される情報に基づくものであることを特徴とする請求項１乃至４のいずれか１項記載の景品払出機。
【請求項６】
景品と交換すべく遊技媒体数に対応する遊技媒体数情報を入力する遊技媒体数情報入力手段と、
前記遊技媒体数情報入力手段で入力された遊技媒体数情報から景品払出情報を算出し、該景品払出情報を出力する景品情報出力手段と
を備える景品管理装置と、
前記景品管理装置からの景品払い出し情報に基づいて、景品部材を積層して収納する景品収納部に収納された景品部材を搬送して払い出し可能であり、所定の指示に基づいて、該払い出し可能な状態を解除する制御手段と、
前記景品収納部を１つまたは複数有して構成される景品カートリッジと、
前記景品カートリッジを挿入する景品カートリッジ挿入口を閉鎖する閉鎖手段と
を備え、前記制御手段が、前記所定の指示に基づいて、前記景品カートリッジを取り出しできるように前記閉鎖手段を開状態とする、または前記景品カートリッジを取り出しできないように前記閉鎖手段を閉状態とすることが可能であり、前記景品管理装置と通信可能に接続された景品払出機と
を具備することを特徴とする景品払出システム。
【請求項７】
前記閉鎖手段が、少なくとも、景品カートリッジ挿入口を開閉する開閉扉を備え、
前記制御手段が、前記所定の指示に基づいて、前記開閉扉を開扉可能または閉扉可能にすることを特徴とする請求項６記載の景品払出システム。
【請求項８】
前記景品払出機が、前記景品収納部に収納された景品部材および／または前記景品カートリッジを移動可能な移動機構を備えることを特徴とする請求項６または７記載の景品払出システム。
【請求項９】
前記景品払出機が、
前記景品収納部の景品部材の有無を検知する景品部材検知手段をさらに具備し、
前記所定の指示が、前記景品部材検知手段から出力される情報に基づくものであることを特徴とする請求項６乃至８のいずれか１項記載の景品払出システム。
【請求項１０】
前記景品払出機が、
前記景品カートリッジを挿入する側に設けられた背面扉の開扉を検知する開扉検知手段をさらに具備し、
前記所定の指示が、前記開扉検知手段から出力される情報に基づくものであることを特徴とする請求項６乃至９のいずれか１項記載の景品払出システム。
【発明の詳細な説明】
【技術分野】
【０００１】
本発明は、パチンコ機などの遊技機器が設置される遊戯場等に設置され特殊景品等の景品を払い出す景品払出機の景品カートリッジ排出機構および景品カートリッジ排出システムに関する。
【背景技術】
【０００２】
遊技ホール、例えばパチンコ店では、遊技客がパチンコ機でパチンコ玉を獲得したり、スロットマシーンでコインを獲得したとき、獲得したパチンコ玉や獲得コインの数に応じて特殊景品を払い出す景品払出機を設置している（例えば、特許文献１参照。）。
【０００３】
この景品払出機において、特殊景品は、景品払出機内に装填された景品カートリッジの景品収納部に収納されている。従来の景品払出機では、景品カートリッジの景品収納部に特殊景品の残数がなくなった場合に、それを自動的に検知して景品カートリッジを景品払出機から取出可能な位置に移動する排出機構がなく、人為的に景品カートリッジの排出操作または排出動作を行っていた。
【０００４】
また、従来の景品払出機では、景品払出機に景品カートリッジを装填後に、景品カートリッジを挿入する挿入口は、挿入口扉によって封鎖され、その挿入口扉は、所定の施錠機構によって施錠される。そして、景品カートリッジを景品払出機から取り出す際には、人為的にその施錠機構を開錠し、挿入口扉を開いて景品カートリッジが取り出されていた。
【０００５】
さらに、景品払出機には、複数の景品カートリッジを装填するための複数の挿入口を有しているため、上記した景品カートリッジを景品払出機から取り出すための人為的な開錠動作や挿入口扉の開扉動作は、各景品カートリッジに対応して行われていた。
【特許文献１】特許第２６３１４５０号公報
【発明の開示】
【発明が解決しようとする課題】
【０００６】
しかしながら、従来の景品払出機では、人為的に景品カートリッジの排出操作または排出動作を行っていたので、手間と時間がかかり作業効率が悪いという問題があった。また、景品カートリッジの排出操作または排出動作を人為的に行うため、所定の部分に偏った負荷がかかるなどして、景品払出機を破壊しやすいなどの問題があった。
【０００７】
そこで、本発明では、人為的な景品カートリッジの排出操作または排出動作を介さなくても景品カートリッジを自動的に即座に取り出し可能な位置に移動することができ、作業効率を向上させることができる景品払出機および景品払出システムを提供することを目的とする。
【課題を解決するための手段】
【０００８】
上記目的を達成するために、本発明の景品払出機は、景品払い出し情報に基づいて、景品部材を積層して収納する景品収納部に収納された景品部材を搬送して払い出す景品払出機において、所定の指示に基づいて、前記景品収納部に収納された景品部材を払い出し可能な状態を解除する制御手段と、前記景品収納部を１つまたは複数有して構成される景品カートリッジと、前記景品カートリッジを挿入する景品カートリッジ挿入口を閉鎖する閉鎖手段とを具備し、前記制御手段が、前記所定の指示に基づいて、前記景品カートリッジを取り出しできるように前記閉鎖手段を開状態とする、または前記景品カートリッジを取り出しできないように前記閉鎖手段を閉状態とすることが可能なことを特徴とする。
【０００９】
この発明によれば、制御手段において、所定の指示に基づいて、景品払出機からの景品部材の払い出し可能な状態を解除することができる。ここで、景品部材の払い出し可能な状態を解除するとは、例えば、払い出しが可能な景品収納部の設定位置や、景品収容部に収容された景品部材を払い出しが可能な位置から、払い出しが不可能な位置に移動することを言う。また、この景品収納部からの払い出しが不可能な位置は、景品収納部から景品部材を払い出し部に搬送できない位置や、景品収納部を景品払出機から外部に取り出し可能な位置などを含む。
【００１０】
ここで、所定の指示とは、例えば、景品収納部の景品部材の有無を検知する景品部材検知手段から出力される情報に基づく情報、景品カートリッジの取り出しを指示する取出入力手段から出力される情報に基づく情報、景品カートリッジを挿入する側に設けられた景品払出機の背面扉の開扉を検知する開扉検知手段から出力される情報に基づく情報などが挙げられるが、これらに限られるものではなく、景品払出機に接続された、例えば、景品管理機（ＰＯＳ）などの外部機器からの情報に基づくものであってもよい。
【００１１】
また、本発明の景品払出機は、前記閉鎖手段が、少なくとも、景品カートリッジ挿入口を開閉する開閉扉を備え、前記制御手段が、前記所定の指示に基づいて、前記開閉扉を開扉可能または閉扉可能にすることを特徴とする。この発明によれば、景品カートリッジ挿入口を閉鎖する開閉扉が設けられているので、例えば、従業員以外の者が景品カートリッジ挿入口内に装填されている景品カートリッジを取り出すことはできないため、防犯機能を向上させることができる。また、この開閉扉は、所定の指示に基づいて、自動的に開扉可能または閉扉可能にすることができ、作業効率を向上させることができる。
【００１２】
また、本発明の景品払出機は、前記景品収納部に収納された景品部材および/または前記景品カートリッジを移動可能な移動機構を備えることを特徴とする。
【００１３】
この発明によれば、移動機構を備え、この移動機構は、例えば、景品移動機構（例えば、リフト機構）やカートリッジ移動機構等から構成される。ここで、景品移動機構では、景品収納部に収納された景品部材を移動する動作を主に行い、カートリッジ移動機構では、景品カートリッジを移動する動作を主に行う。
【００２５】
また、本発明の景品払出機は、前記開閉扉が、前記施錠機構の開錠に伴って自動的に開扉することを特徴とする。
【００２６】
この発明によれば、施錠機構の開錠に伴って自動的に開扉することができるので、例えば、景品カートリッジ挿入口から景品カートリッジを取り出す際に、開閉扉を従業員が開けることなく作業を行うことができ、作業効率を向上させることができる。
【００２７】
開閉扉は、施錠機構によって景品カートリッジ挿入口側に押付けるように施錠させており、その施錠を解除することで、その押付けられた力の反作用力で自動的に開扉することができる。また、開閉扉を景品払出機に開閉自在に軸支している、例えば、蝶番などに、開閉扉を開く方向に常に力を与えるバネやゴムなどの弾性部材を装着し、施錠が解除されるとその力によって自動的に開閉扉が開くような構成にしてもよい。
【００２８】
さらに、本発明の景品払出機は、前記開閉扉に備えられた施錠機構が、前記開閉扉の閉扉によって自動的に施錠されることを特徴とする。
【００２９】
この発明によれば、開閉扉を閉じることで、従業員が施錠の作業をすることなく、自動的に施錠することができるので、作業効率を向上させることができる。また、この施錠状態は電源を切った状態でも維持されるので、盗難などを防止することができる。
【００３２】
また、本発明の景品払出機は、前記景品収納部の景品部材の有無を検知する景品部材検知手段をさらに具備し、前記所定の指示が、前記景品部材検知手段から出力される情報に基づくものであることを特徴とする。
【００３３】
この発明によれば、景品部材検知手段によって、１つの景品カートリッジのすべての景品収納部に景品部材が無いことが検知された場合には、自動的に景品カートリッジを取り出し可能な位置に移動させることができる。この景品部材検知手段は、接触式センサ、光学式センサなどで構成することができる。
【００３６】
また、本発明の景品払出機は、前記景品カートリッジを挿入する側に設けられた背面扉の開扉を検知する開扉検知手段をさらに具備し、前記所定の指示が、前記開扉検知手段から出力される情報に基づくものであることを特徴とする。
【００３７】
この発明によれば、開扉検知手段からの情報に基づいて、自動的に景品カートリッジを取り出し可能な位置に移動させることができる。この機能は、例えば、景品払出機に装填されているすべての景品カートリッジを同時に取り出し可能な位置に移動させる場合などに有効である。また、開扉検知手段は、接触式センサ、光学式センサなどで構成することができ、背面扉の開扉を検知することができる位置に設置される。
【００３８】
本発明の景品払出システムは、景品と交換すべく遊技媒体数に対応する遊技媒体数情報を入力する遊技媒体数情報入力手段と、前記遊技媒体数情報入力手段で入力された遊技媒体数情報から景品払出情報を算出し、該景品払出情報を出力する景品情報出力手段とを備える景品管理装置と、前記景品管理装置からの景品払い出し情報に基づいて、景品部材を積層して収納する景品収納部に収納された景品部材を搬送して払い出し可能であり、所定の指示に基づいて、該払い出し可能な状態を解除する制御手段と、前記景品収納部を１つまたは複数有して構成される景品カートリッジと、前記景品カートリッジを挿入する景品カートリッジ挿入口を閉鎖する閉鎖手段とを備え、前記制御手段が、前記所定の指示に基づいて、前記景品カートリッジを取り出しできるように前記閉鎖手段を開状態とする、または前記景品カートリッジを取り出しできないように前記閉鎖手段を閉状態とすることが可能であり、前記景品管理装置と通信可能に接続された景品払出機とを具備することを特徴とする。
【００３９】
この発明によれば、景品払出機に景品管理機（ＰＯＳ）などの景品管理装置を併設しシステム化することで、景品部材の払い出しを景品管理装置からの情報に基づいて、一貫して自動的に行うことができる。
【００４０】
また、制御手段において、所定の指示に基づいて、景品払出機からの景品部材の払い出し可能な状態を解除することができる。ここで、景品部材の払い出し可能な状態を解除するとは、例えば、払い出しが可能な景品収納部の設定位置や、景品収容部に収容された景品部材を払い出しが可能な位置から、払い出しが不可能な位置に移動することを言う。また、この景品収納部からの払い出しが不可能な位置は、景品収納部から景品部材を払い出し部に搬送できない位置や、景品収納部を景品払出機から外部に取り出し可能な位置などを含む。
【００４１】
ここで、所定の指示とは、例えば、景品収納部の景品部材の有無を検知する景品部材検知手段から出力される情報に基づく情報、景品カートリッジの取り出しを指示する取出入力手段から出力される情報に基づく情報、景品カートリッジを挿入する側に設けられた景品払出機の背面扉の開扉を検知する開扉検知手段から出力される情報に基づく情報などが挙げられるが、これらに限られるものではなく、景品払出機に接続された、例えば、景品管理機（ＰＯＳ）などの外部機器からの情報に基づくものであってもよい。
【００４２】
また、本発明の景品払出システムは、前記閉鎖手段が、少なくとも、景品カートリッジ挿入口を開閉する開閉扉を備え、前記制御手段が、前記所定の指示に基づいて、前記開閉扉を開扉可能または閉扉可能にすることを特徴とする。この発明によれば、景品カートリッジ挿入口を閉鎖する開閉扉が設けられているので、例えば、従業員以外の者が景品カートリッジ挿入口内に装填されている景品カートリッジを取り出すことはできないため、防犯機能を向上させることができる。また、この開閉扉は、所定の指示に基づいて、自動的に開扉可能または閉扉可能にすることができ、作業効率を向上させることができる。
【００４３】
また、本発明の景品払出システムは、前記景品払出機が、前記景品収納部に収納された景品部材および/または前記景品カートリッジを移動可能な移動機構を備えることを特徴とする。
【００４４】
この発明によれば、移動機構を備え、この移動機構は、例えば、景品移動機構（例えば、リフト機構）やカートリッジ移動機構等から構成される。ここで、景品移動機構では、景品収納部に収納された景品部材を移動する動作を主に行い、カートリッジ移動機構では、景品カートリッジを移動する動作を主に行う。
【００５７】
また、本発明の景品払出システムは、前記開閉扉が、前記施錠機構の開錠に伴って自動的に開扉することを特徴とする。
【００５８】
この発明によれば、施錠機構の開錠に伴って自動的に開扉することができるので、例えば、景品カートリッジ挿入口から景品カートリッジを取り出す際に、開閉扉を従業員が開けることなく作業を行うことができ、作業効率を向上させることができる。
【００５９】
開閉扉は、施錠機構によって景品カートリッジ挿入口側に押付けるように施錠させており、その施錠を解除することで、その押付けられた力の反作用力で自動的に開扉することができる。また、開閉扉を景品払出機に開閉自在に軸支している、例えば、蝶番などに、開閉扉を開く方向に常に力を与えるバネやゴムなどの弾性部材を装着し、施錠が解除されるとその力によって自動的に開閉扉が開くような構成にしてもよい。
【００６０】
さらに、本発明の景品払出システムは、前記開閉扉に備えられた施錠機構が、前記開閉扉の閉扉によって自動的に施錠されることを特徴とする。
【００６１】
この発明によれば、開閉扉を閉じることで、従業員が施錠の作業をすることなく、自動的に施錠することができるので、作業効率を向上させることができる。また、この施錠状態は電源を切った状態でも維持されるので、盗難などを防止することができる。
【００６４】
また、本発明の景品払出システムは、前記景品払出機が、前記景品収納部の景品部材の有無を検知する景品部材検知手段をさらに具備し、前記所定の指示が、前記景品部材検知手段から出力される情報に基づくものであることを特徴とする。
【００６５】
この発明によれば、景品部材検知手段によって、１つの景品カートリッジのすべての景品収納部に景品部材が無いことが検知された場合には、自動的に景品カートリッジを取り出し可能な位置に移動させることができる。この景品部材検知手段は、接触式センサ、光学式センサなどで構成することができる。
【００６８】
さらに、本発明の景品払出システムは、前記景品払出機が、前記景品カートリッジを挿入する側に設けられた背面扉の開扉を検知する開扉検知手段をさらに具備し、前記所定の指示が、前記開扉検知手段から出力される情報に基づくものであることを特徴とする。
【００６９】
この発明によれば、開扉検知手段からの情報に基づいて、自動的に景品カートリッジを取り出し可能な位置に移動させることができる。この機能は、例えば、景品払出機に装填されているすべての景品カートリッジを同時に取り出し可能な位置に移動させる場合などに有効である。また、開扉検知手段は、接触式センサ、光学式センサなどで構成することができ、背面扉の開扉を検知することができる位置に設置される。
【発明の効果】
【００７２】
本発明の景品払出機の景品カートリッジ排出機構および景品カートリッジ排出システムによれば、人為的な景品カートリッジの排出操作または排出動作を介さなくても景品カートリッジを自動的に即座に取り出し可能な位置に移動することができ、作業効率を向上させることができる。
【発明を実施するための最良の形態】
【００７３】
以下、本発明の一実施の形態を、図面に基づいて説明する。
【００７４】
図１には、本発明の一実施形態における景品払出機１０の正面から（遊技客側から）の斜視図が示されている。図２には、背面扉１１が閉じられた状態の景品払出機１０の背面から（カートリッジ挿入側から）の斜視図が示されている。また、図３には、背面扉１１が開かれた状態の景品払出機１０の背面から（カートリッジ挿入側から）の斜視図が示されている。
【００７５】
図１に示すように、景品払出機１０の最上部には、景品払出ユニット１４が設けられている。この景品払出ユニット１４には、特殊景品Ｗを排出するための景品払出口１５が、景品払出ユニット１４の長手方向に６箇所設けられている。この景品払出口１５は、特殊景品Ｗの排出時以外は、景品押出部１６の押出面によって閉鎖されている。
【００７６】
景品払出口１５から景品押出部１６によって特殊景品Ｗが排出される排出天板１７には、各景品払出口１５に対応して、凹部が設けられ、その凹部に、例えばＬＥＤランプなどで構成される払出口指示点灯部１８が配置されている。そして、払出口指示点灯部１８を配置した凹部は、排出天板１７と凹凸なく平面になるように、例えば透明なアクリル板などで封鎖されている。そして、特殊景品Ｗが排出される景品払出口１５に対応した払出口指示点灯部１８が点灯し、遊技者に特殊景品Ｗが排出される景品払出口１５を示している。
【００７７】
ここで示した景品払出機１０は、６箇所の景品払出口１５が設けられているので、最大６種類の特殊景品Ｗを同時に排出することができる。また、景品払出機１０に設けられる景品払出口１５は、６箇所に限られるものではなく、例えば、払い出される特殊景品Ｗの種類によって、景品払出口１５の数を増減してもよい。
【００７８】
また、景品払出ユニット１４の右上面には、払い出される特殊景品Ｗの種類および数量を表示するための表示部１９が設置されている。この表示部１９は、例えば液晶モニタなどで構成される。
【００７９】
さらに、景品払出ユニット１４の上面の両端には、スピーカ２０が設けられ、例えば遊技客に対して「いらっしゃいませ」、「景品が出るまでしばらくお待ち下さい」などの音声情報が発せられる。
【００８０】
また、景品払出機１０には、演算装置（ＣＰＵ）、読み出し専用メモリ（ＲＯＭ）、ランダムアクセスメモリ（ＲＡＭ）などから主に構成される制御手段２８が設けられている。ＣＰＵでは、ＲＯＭやＲＡＭに格納されたプログラムやデータなどを用いて各種の演算処理を実行する。また、この制御手段２８では、景品払出機１０を構成する各機器部との信号の出入力などを制御している。
【００８１】
図２に示すように、景品払出機１０の背面側には、施錠機構１１ａを備えた背面扉１１が設けられている。また、この背面扉１１には、把持部１１ｂが設置され、その把持部１１ｂを把んで背面扉１１の開閉を行う。
【００８２】
施錠機構１１ａは、例えば、鍵などによって施錠または開錠が可能な構造で構成され、制御手段２８と回線を介して接続されている。また、施錠機構１１ａは、この構成に限るものではなく、外部からの入力信号などで電気的に施錠または開錠が可能な構造で構成してもよい。
【００８３】
また、図３に示されているように、一方の背面扉１１の側面には、背面扉１１が閉じられたことを検知する背面扉開扉検知手段１１ｃが配設されている。この背面扉開扉検知手段１１ｃは、例えば、接点スイッチなどで構成され、一方の背面扉１１の側面に配設された背面扉開扉検知手段１１ｃに、対向する背面扉１１の側面が接触したことを検知し、背面扉１１が閉じられたことを検知する。ここで、背面扉開扉検知手段１１ｃは、制御手段２８と回線を介して接続されている。
【００８４】
また、景品払出機１０の内部には、景品カートリッジ１３を景品カートリッジ挿入口１２から着脱可能に収容し、上部に上部ユニット２２、下部に下部ユニット２３が設けられた景品搬送ユニット２４が、景品払出機１０の横方向に複数積層させて構成されている。
【００８５】
また、景品搬送ユニット２４には、景品カートリッジ挿入口１２を閉鎖可能な開閉扉として機能するカートリッジ挿入口扉２５が設置され、その一端側は、例えば、蝶番などの回動支持部材２５ｂで景品搬送ユニット２４に固定されている。この回動支持部材２５ｂを設けることによって、回動支持部材２５ｂを軸としてカートリッジ挿入口扉２５を開閉することができる。
【００８６】
また、カートリッジ挿入口扉２５の固定側とは反対側の縁部には、係止開口部２５ａが設けられている。この係止開口部２５ａは、カートリッジ挿入口扉２５を閉めたときに、この係止開口部２５ａに対応して景品搬送ユニット２４に設置された施錠機構２６のロック機能部２９を係止し、カートリッジ挿入口扉２５を施錠するものである。ここで、施錠機構２６は、制御手段２８と回線を介して接続されている。さらに、カートリッジ挿入口扉２５には、カートリッジ挿入口扉把持部２５ｃが設置されている。
【００８７】
また、施錠機構２６が設置された景品搬送ユニット２４の下方には、カートリッジ挿入口扉２５の開閉を検知する接点スイッチ２７が設置されている。この接点スイッチ２７は、制御手段２８と回線を介して接続されている。
【００８８】
ここで示された実施の形態では、６個の景品搬送ユニット２４が積層されて構成されているが、景品搬送ユニット２４は６個に限られるものではなく、例えば、払い出される特殊景品Ｗの種類によって、景品搬送ユニット２４の数を増減してもよい。なお、上述した特殊景品Ｗが排出される景品払出口１５の数は、この景品搬送ユニット２４の数に対応している。
【００８９】
また、図３に示すように、景品払出機１０の背面側には、景品払出ユニット１４の上部に、景品払出機１０の背面側に向いて操作表示パネル２１が設けられている。この操作表示パネル２１には、払い出される特殊景品Ｗの種類および数量を表示するための、例えば液晶モニタなどで構成される表示部２１ａ、操作表示パネル２１の左右の端部には、特殊景品Ｗの補充要求や搬送不良などのエラー発生に点灯するエラー発生点灯部２１ｂが設けられている。
【００９０】
また、景品払出機１０は、２台の景品管理装置（ＰＯＳ）と通信回線によって接続することができ、操作表示パネル２１には、何台の景品管理装置（ＰＯＳ）と接続されているかを示す併設景品管理装置数点灯部２１ｃが設けられている。この併設景品管理装置数点灯部２１ｃは、例えばＬＥＤランプなどで構成され、景品管理装置（ＰＯＳ）が１台併設されている場合には、併設景品管理装置数点灯部２１ｃが１つ点灯し、景品管理装置（ＰＯＳ）が２台併設されている場合には、併設景品管理装置数点灯部２１ｃが２つ点灯する。また、併設景品管理装置数点灯部２１ｃに近接して、景品払出機１０のレディ状態を示すレディ点灯部２１ｄが設けられている。このレディ点灯部２１ｄも、例えばＬＥＤランプなどで構成されている。
【００９１】
また、操作表示パネル２１には、リセットボタン２１ｇ、モード切替ボタン２１ｈが設けられ、さらに開閉可能なパネル２１ｅの内部にテンキー２１ｆが設けられている。設定モードは、モード切替ボタン２１ｈとテンキー２１ｆによって設定され、テンキー２１ｆでは、例えば取り扱う特殊景品Ｗの種類の数、各景品カートリッジ１３に収納された特殊景品Ｗの種類などの設定を行う。
【００９２】
次に、景品払出機１０を構成する主な構成部分についてそれぞれ説明する。
【００９３】
（景品カートリッジ１３の構成）
次に、図４〜６を参照して、景品カートリッジ１３の構成について説明する。
【００９４】
図４には、景品カートリッジ１３の斜視図が示されており、図５には、カートリッジカバー１０４が取り付けられた状態の景品カートリッジ１３の斜視図が示されいる。図６には、景品カートリッジ１３の一方の側面の一部を示す斜視図が示されている。
【００９５】
景品カートリッジ１３は、全体として直方体からなり、複数の一列に並べられた直方体空間からなる各景品収納部１００から構成される。この実施の形態では、景品カートリッジ１３は、３個の景品収納部１００から構成されているが、これに限られるものではなく、景品収納部１００の数を増減してもよい。
【００９６】
景品収納部１００の底面には、中央部および前部の一部が切欠され、ほぼＣ字型に形成された景品ストッパ１０１が固着され、景品収納部１００内に積層される特殊景品Ｗを支持する。この景品ストッパ１０１の切欠の形状は、景品収納部１００内に収納される特殊景品Ｗを昇降させる支持部材および支持部材を支持しリフト機構によって押し上げられる昇降台が移動可能であり、かつ景品収納部１００内に収納される特殊景品Ｗを支持できるものであれば、Ｃ字型に限られるものではない。
【００９７】
景品収納部１００の背面および両側面は壁面で形成され、隣接する景品収納部１００の側面は共有している。景品収納部１００の前面および天井面は開口されている。景品収納部１００の側面前部には、板状のガイド１０２が景品収納部１００に沿って設けられている。各景品収納部１００には、例えば特殊景品Ｗの厚さが３ｍｍの場合には、１５０個収納することができ、３個の景品収納部１００で合計４５０個の特殊景品Ｗを収納することができる。
【００９８】
また、景品カートリッジ１３の一方の外側面には、挿入用把持部１０３が配置されている。景品カートリッジ１３を景品カートリッジ挿入口１２に挿入する際に、従業員などがこの挿入用把持部１０３を握って挿入を行う。
【００９９】
図５に示すように、景品カートリッジ１３の上部には、複数の景品収納部１００の天井面を被覆する大きさで構成されたカートリッジカバー１０４を装着することができる。このカートリッジカバー１０４は、景品カートリッジ１３を持ち運ぶ際に、景品カートリッジ１３に装着して使用するもので、例えば従業員などがカートリッジカバー１０４に設けられた持運び用把持部１０５を握って持ち運ぶ。なお、このカートリッジカバー１０４は、景品カートリッジ１３を景品カートリッジ挿入口１２に挿入する際には外される。
【０１００】
また、図６に示すように、景品カートリッジ１３の挿入用把持部１０３の設置された外側面とは反対側の外側面に、金属板からなるマグネット用プレート１０６が配設されている。この実施の形態では、景品カートリッジ１３の外側面に、２個のマグネット用プレート１０６が所定の位置に配設されているが、これに限るものではない。
【０１０１】
このマグネット用プレート１０６は、後述するキャッチ手段１１０にマグネット用プレート１０６と対応して配設されたマグネット１１１と磁気的に接続され、キャッチ手段１１０に設置されたホール素子を用いて、景品カートリッジ挿入口１２に挿入された景品カートリッジ１３が適切なものであるかを判定する。
【０１０２】
（施錠機構２６の構成の一例）
次に、施錠機構２６の構成の一例について、図７を参照して説明する。
【０１０３】
図７には、景品カートリッジ１３を景品カートリッジ挿入口１２に挿入する様子を示す斜視図である。また、図８には、図７に示した施錠機構２６および施錠機構２６に係止されるカートリッジ挿入口扉２５の断面図が示されている。
【０１０４】
施錠機構２６は、一端がＬ字状に上部側に屈曲して、係止突起部２９ａを形成し、他端がロック解除作動部３０と接続されたロック機能部２９と、ロック機能部２９を回転自在に支持する支軸部３１と、係止突起部２９ａと支軸部３１との間のロック機能部２９に一端が固定され、他端がロック機能部２９の上下の移動に対して弾性力を与えるように景品搬送ユニット２４の内側面に設けられた支持部３２に固定された弾性部材３３とで主に構成されている。
【０１０５】
ここで、ロック機能部２９のＬ字状に上部側に屈曲した係止突起部２９ａの内側部は、略直角に屈曲し、外側部は、係止突起部２９ａの頂点部に向かって傾斜して形成されている。また、ロック機能部２９の係止突起部２９ａは、景品搬送ユニット２４に設けられた開口部３４から外部に突出している。
【０１０６】
図８に示すように、カートリッジ挿入口扉２５が施錠機構２６によって施錠されている場合には、カートリッジ挿入口扉２５の係止開口部２５ａを係止突起部２９ａが貫通し、略直角に屈曲した係止突起部２９ａの内側部にカートリッジ挿入口扉２５の係止開口部２５ａの縁部が接触して施錠状態となる。
【０１０７】
また、ロック解除作動部３０は、施錠状態を解除する際に作動するもので、例えば、ソレノイドなどで構成されている。このロック解除作動部３０を作動させ、例えば、ロック解除作動部３０に他端が接続されたロック機能部２９の他端側を上方に吊り上げることで、支軸部３１を回転軸としてロック機能部２９の一端側（係止突起部２９ａ側）が下方に回転し、係止開口部２５ａから係止突起部２９ａが外れ、カートリッジ挿入口扉２５のロックを解除することができる。また、係止開口部２５ａから係止突起部２９ａが外れると、カートリッジ挿入口扉２５が景品カートリッジ挿入口１２側に向かって受けていた力の反作用力で、カートリッジ挿入口扉２５が自動的に開扉する。
【０１０８】
なお、開閉扉を景品払出機に開閉自在に軸支している、例えば、蝶番などの回動支持部材２５ｂに、カートリッジ挿入口扉２５を開く方向に常に力を与えるバネやゴムなどの弾性部材を装着し、施錠が解除されるとその力によって自動的にカートリッジ挿入口扉２５が開くような構成にしてもよい。
【０１０９】
弾性部材３３は、例えば、柱状部材の両端面にバネなどを設けて構成され、ロック機能部２９の係止突起部２９ａが形成された側に上方向の力を常に負荷するものである。これによって、カートリッジ挿入口扉２５を係止突起部２９ａでロックすることができる。この弾性部材３３は、バネに限られるものではなく、所定の力に対して一定の割合で変化する弾性部材ならばよく、例えばゴムなどで構成することもできる。
【０１１０】
ここで、景品搬送ユニット２４の正面のカートリッジ挿入口扉２５と接触する部分には、カートリッジ挿入口扉２５の開閉を検知する接点スイッチ２７が設置されている。ここでは、接点スイッチ２７は、施錠機構２６が設置された景品搬送ユニット２４の下方に設置されている。接点スイッチ２７の接点部は、景品搬送ユニット２４に設けられた開口部３５から外部に若干突出して設置されている。そして、この接点スイッチ２７の接点部にカートリッジ挿入口扉２５が接触したとこを検知した場合には、カートリッジ挿入口扉２５が閉扉されたことになる。
【０１１１】
ここで、施錠機構２６の構成は、上記した構成に限られるものではない。例えば、電磁的に施錠する構成を採ることもできる。この場合には、例えば、景品搬送ユニット２４側に電磁石を設置し、それに対応させてカートリッジ挿入口扉２５側に金属板などを設置する。そして、例えば、接点スイッチ２７によって、景品搬送ユニット２４の表面にカートリッジ挿入口扉２５が接触したことを検知した場合に、電磁石のスイッチをオンさせるように構成することもできる。なお、開錠する場合には、電磁石のスイッチをオフし、カートリッジ挿入口扉２５を開扉可能とする。
【０１１２】
また、上記した構成以外でも、カートリッジ挿入口扉２５を施錠することができ、所定の入力に基づいて開錠できる構成ならば採用することができる。
【０１１３】
また、カートリッジ挿入口扉２５の他の構成を図９に示す。
【０１１４】
図９には、施錠機構２６および施錠機構２６に係止されるカートリッジ挿入口扉２５の断面図が示されている。
【０１１５】
図９に示されたカートリッジ挿入口扉の他の構成では、カートリッジ挿入口扉２５の外側（図９では右側）に所定の間隔をあけてカートリッジ挿入口外部扉板２５ｄが設置された２重構造になっている。このカートリッジ挿入口扉２５とカートリッジ挿入口外部扉板２５ｄとの間隔は、図９に示すように、ロック機能部２９の係止突起部２９ａがカートリッジ挿入口扉２５の係止開口部２５ａに係止されたときに、係止開口部２５ａがカートリッジ挿入口外部扉板２５ｄと接触しない程度に設定されている。また、カートリッジ挿入口扉把持部２５ｃは、カートリッジ挿入口外部扉板２５ｄの外側面（カートリッジ挿入口扉２５と対向しない側の面）に設置される。
【０１１６】
このように、カートリッジ挿入口外部扉板２５ｄを備えることで、ロック機能部２９の係止突起部２９ａがカートリッジ挿入口扉２５の係止開口部２５ａに係止されたときに、係止突起部２９ａが露出することがないので、例えば、強制的に係止開口部２５ａに係止した係止突起部２９ａが外されるのを防止することができる。
【０１１７】
（景品払出機１０の内部の構成の一例）
次に、景品払出機１０の内部の構成の一例について、図７、１０および１１を参照して説明する。
【０１１８】
図１０には、景品払出機１０の一部の内部構造を示した斜視図が示されている。なお、図１０は、景品払出機１０の１つの景品搬送ユニット２４、景品払出ユニット１４について示したものであり、操作表示パネル２１などの記載は省略している。また、図１１には、景品カートリッジ１３がカートリッジ設置板２０４に載置された状態を示す平面図である。
【０１１９】
図１０に示されているように、景品払出機１０は、下部ユニット２３、景品カートリッジ挿入口１２、上部ユニット２２から構成される景品搬送ユニット２４と、この景品搬送ユニット２４と排出天板１７を介して積層配置された景品払出ユニット１４とから主に構成されている。
【０１２０】
景品カートリッジ挿入口１２の下端位置の両側には、景品カートリッジ挿入口１２から奥部まで、カートリッジガイドレール２００が帯状に設置されている。このカートリッジガイドレール２００の一部は、特殊景品Ｗを昇降させる支持部材２０１および支持部材２０１を支持する昇降台２０２が移動可能に切欠されている。
【０１２１】
また、両側のカートリッジガイドレール２００間に渡って複数本のガイドローラ２０３が設置される。このガイドローラ２０３上には、景品カートリッジ１３を支持するカートリッジ設置板２０４が載置されている。
【０１２２】
このカートリッジ設置板２０４の景品カートリッジ挿入口１２の奥側の端部には、図６に示すように、キャッチ手段１１０が立設されている。カートリッジ設置板２０４上に景品カートリッジ１３が載置されると、キャッチ手段１１０に配設されたマグネット１１１と、景品カートリッジ１３の外側面に配設されたマグネット用プレート１０６とが磁気的に接続される。そして、キャッチ手段１１０に設置されたホール素子（図示しない）を用いて、景品カートリッジ挿入口１２に挿入された景品カートリッジ１３が適切なものであるかを判定し、適切でない場合には、例えば、ブザーなどで知らせることができる。このホール素子は、制御手段２８に回線を介して接続されている。
【０１２３】
また、カートリッジ設置板２０４には、カートリッジ設置板２０４に載置する景品カートリッジ１３の景品ストッパ１０１の各切欠に対応して切欠部２０５が設けられている。この切欠部２０５は、特殊景品Ｗを昇降させる支持部材２０１および支持部材２０１を支持する昇降台２０２が移動可能に切欠されている。
【０１２４】
さらに、カートリッジ設置板２０４の下部端面には、下部ユニット２３の底部に設置されたステッピング駆動モータ２０６からの動力を伝達するタイミングベルト２０７のギヤ部と係合するギヤ部（図示しない）が設けられている。そして、ステッピング駆動モータ２０６を駆動することで、カートリッジ設置板２０４は、ガイドローラ２０３上を移動する。なお、ステッピング駆動モータ２０６は、接続される制御手段２８の指示により正逆回転される。
【０１２５】
図７および１１に示すように、景品カートリッジ挿入口１２から挿入され、カートリッジ設置板２０４上に載置された景品カートリッジ１３は、所定の位置まで挿入されることで、カートリッジ設置板２０４の外側面に配設されたマグネット用プレート１０６とキャッチ手段１１０に配設されたマグネット１１１とが接続し、景品カートリッジ１３のカートリッジ設置板２０４上への載置が完了する。景品カートリッジ１３のカートリッジ設置板２０４上への載置が完了した状態では、各景品カートリッジ１３下部の景品ストッパ１０１の切欠は、それぞれに対応して設けられたカートリッジ設置板２０４の切欠部２０５に対向する位置に設置されている。
【０１２６】
また、図７に示すように、景品カートリッジ挿入口１２には、カートリッジ挿入口扉２５が設けられ、景品カートリッジ１３挿入後には閉じられる。また、カートリッジ挿入口扉２５の開閉する側の景品搬送ユニット２４の正面には、カートリッジ挿入口扉２５をロックする施錠機構２６が設けられている。
【０１２７】
また、キャッチ手段１１０側の景品カートリッジ１３の景品収納部１００における背面を形成する壁部の外面には、鉄板などで形成された光を反射する光反射板１０７が設置されている。また、図１０に示すように、景品カートリッジ１３が挿入される景品搬送ユニット２４の内壁面には、光反射板１０７の移動に対応して、３箇所の位置に位置検知センサ１０８が設けられている。この３個の位置検知センサ１０８は、景品カートリッジ１３の各景品収納部１００の間隔に対応した間隔で、景品搬送ユニット２４の内壁面に設置されている。
【０１２８】
位置検知センサ１０８から発せられた光は、光反射板１０７で反射し、その反射光を位置検知センサ１０８で検知することで、キャッチ手段１１０側の景品収納部１００の位置を検知し、その情報に基づいてステッピング駆動モータ２０６を制御することで、景品カートリッジ１３の移動を制御することができる。なお、位置検知センサ１０８は、制御手段２８に配線を介して接続されている。
【０１２９】
次に、景品搬送ユニット２４に設けられたリフト機構３００および昇降台２０２上に設置された特殊景品Ｗを昇降させる際に特殊景品Ｗを支持する景品支持部３５０の構成について、図１０および１２を参照して説明する。ここで、図１２には、リフト機構３００の構成が示されている。
【０１３０】
（リフト機構３００の構成の一例）
リフト機構３００は、ステッピング駆動モータ３０１と、ステッピング駆動モータ３０１の動力を伝達するギヤ部３０２と、ギヤ部３０２によってステッピング駆動モータ３０１の動力が伝達され、回転可能に設置されたスパイラルシャフト３０３と、スパイラルシャフト３０３と所定の間隔をあけて平行に設置されたリニアシャフト３０４と、スパイラルシャフト３０３およびリニアシャフト３０４にそれぞれ設けられたリニアガイド３０５ａ、３０５ｂに載置された昇降台２０２とから主に構成されている。
【０１３１】
昇降台２０２は、凸形状を有する平板で構成され、凸状部がカートリッジガイドレール２００の切欠された部分を通過できる位置に設置される。また、昇降台２０２の幅広部分の一端側には、スパイラルシャフト３０３と係合する溝が内筒壁に螺刻されたリニアガイド３０５ａの小径筒部を貫通させる貫通孔が開口されている。また、昇降台２０２の幅広部分の他端側には、リニアシャフト３０４と内筒壁が摺接するリニアガイド３０５ｂの小径筒部を貫通させる貫通孔が開口されている。
【０１３２】
そして、それぞれの貫通孔に対応したリニアガイドの小径筒部を貫通させ、昇降台２０２は、リニアガイド３０５ａ、３０５ｂの大径筒部の上端面上に載置され固定される。そして、スパイラルシャフト３０３がステッピング駆動モータ３０１によって回転され、リニアガイド３０５ａが移動して、昇降台２０２を上昇または下降させる。
【０１３３】
スパイラルシャフト３０３およびリニアシャフト３０４は、下部ユニット２３の底部から上部ユニット２２の天井面に至って設置されている。また、景品カートリッジ挿入口１２の天井面は、昇降台２０２上に設置される景品支持部３５０が移動できるように開口部３０８が開口されている。
【０１３４】
また、昇降台２０２とリニアガイド３０５ｂとの間には、昇降台２０２が所定の最下部に位置することを検知するための位置検知板３０６が挟持されている。そして、この位置検知板３０６を検知する位置検知センサ３０７が、位置検知板３０６に対応させて下部ユニット２３の底面に設置されている。この位置検知センサ３０７として、例えば、光センサなどが用いられ、位置検知センサ３０７は、制御手段２８に回線を介して接続されている。
【０１３５】
上部ユニット２２の天井面の下端近傍には、景品支持部３５０上に特殊景品Ｗが載置されているか否かを検知する景品載置検知センサ３０９が設置されている。この景品載置検知センサ３０９は、接点スイッチセンサ、光学センサなどで構成され、制御手段２８に回線を介して接続されている。
【０１３６】
下部ユニット２３の底面には、スパイラルシャフト３０３にギヤ部３０２を介して動力を伝達し、スパイラルシャフト３０３を回転させるステッピング駆動モータ３０１が設置されている。また、このステッピング駆動モータ３０１は、正逆回転可能であり、制御手段２８に回線を介して接続されている。
【０１３７】
ステッピング駆動モータ３０１に接続されたギヤ部３０２とステッピング駆動モータ３０１との間の回転軸に、ステッピング駆動モータ３０１の回転軸の回転数を検知するエンコーダ部３１０が設けられている。また、エンコーダ部３１０は、制御手段２８に回線を介して接続されている。このエンコーダ部３１０からの情報に基づいて、景品支持部３５０上の特殊景品Ｗの数量を検知することができる。
【０１３８】
（景品支持部３５０の構成の一例）
次に、景品支持部３５０の構成の一例について、図１３を参照して説明する。
【０１３９】
図１３には、景品支持部３５０の一部を断面とした図が示されている。
景品支持部３５０は、昇降台２０２の凸状部上に立設された支柱３５１と、この支柱３５１上に支柱に対して垂直に設置された平板３５２と、この平板３５２上に配置されたバネ併設棒逃し部材３５３と、景品カートリッジ１３の景品収納部１００に収納された特殊景品Ｗを支持する支持部材２０１と、この支持部材２０１の下面に一端が立設され、他端がバネ併設棒逃し部材３５３に開口された貫通孔に貫通し自由端を形成するバネ併設棒３５５と、バネ併設棒３５５の周囲に巻きつけられたバネ３５４と、支持部材２０１と他端がバネ併設棒逃し部材３５３との間に設置され、回転軸３５６ａを軸として回転可能な回動部材３５６とから主に構成されている。
【０１４０】
支柱３５１は、円筒または円柱で形成され、支持部材２０１を所定の高さに位置させるために所定の長さに調整されている。
【０１４１】
平板３５２上に固着されたバネ併設棒逃し部材３５３は、断面が上端部より外側へ延設されたフランジ部を有した凹型の板状の部材で形成され、そのフランジ部には、バネ併設棒３５５を貫通させるための貫通孔が設けられている。また、凹型の底部には、回動部材３５６が固着されている。なお、貫通孔は、バネ併設棒３５５が平板３５２に当たるまで抵抗なく貫通でき、かつバネ併設棒３５５に巻きつけられたバネ３４５がこの貫通孔を通過できない程度の孔径で形成されている。
【０１４２】
支持部材２０１に下面には、所定のバネ定数のバネ３５４が巻きつけられた２本のバネ併設棒３５５が、それぞれ回動部材３５６の回転軸３５６ａに対して対称に、支持部材２０１の両端縁部に配設されている。
【０１４３】
支持部材２０１は、例えば樹脂などの材料で形成され、支持部材２０１の上面には、景品カートリッジ１３の景品収納部１００に収納された特殊景品Ｗの形状に合わせて水平に形成されている。この支持部材２０１の上表面に特殊景品Ｗとの間における摩擦係数を高くするための凸凹部を形成することで、支持部材２０１と接触する特殊景品Ｗのずれなどを防止することができる。なお、支持部材２０１は、樹脂以外にも金属などで構成することもできる。
【０１４４】
回動部材３５６は、上部回動部材３５６ｂと下部回動部材３５６ｃとが回転軸３５６ａによって軸支されている。この回動部材３５６は、下部回動部材３５６ｃがバネ併設棒逃し部材３５３に固定されているため、図１２の断面図によれば、上部回動部材３５６ｂが回転軸３５６ａを中心として右回転または左回転が可能となる。これによって、回動部材３５６が固着された支持部材２０１は、回転軸３５６ａを中心として右回転または左回転することができる。
【０１４５】
ここで、この回転方向は、後述する上部ユニット２２における特殊景品Ｗの排出方向（図１３中の支持部材２０１上に矢印で示した方向）に対して、この排出方向を上下方向に変動する方向に相当する。
【０１４６】
ここで、回動部材３５６の構成は、図１３に示した回転軸３５６ａを中心とした形態に限られるものではない。例えば、回動部材３５６を設けずに、平板３５２上に支持部材２０１を備えた構造であってもよい。
【０１４７】
（上部ユニット２２および景品払出ユニット１４の構成の一例）
次に、上部ユニット２２および景品払出ユニット１４の構成の一例について、図１４〜１６を参照して説明する。
【０１４８】
図１４には、上部ユニット２２および景品払出ユニット１４の断面図が示されている。図１５には、上部ユニット２２において特殊景品Ｗが当接する当接部４００を特殊景品Ｗが当接する方向（景品カートリッジ１３側から上方をみた方向）からみたときの平面図が示されている。また、図１６には、特殊景品Ｗが当接する当接部４００の側面からの平面図が示されている。
【０１４９】
上部ユニット２２の当接部４００には、支持部材２０１に支持された特殊景品Ｗが当接し、水平２列に設置される６個の回転自在の景品受ローラ４０１と、景品受ローラ４０１に当接した特殊景品Ｗを景品押出爪４０２によって景品スタッカ部４０３に押し出す回転ベルト４０４とから主に構成されている。この構成では、排出手段と当接部が一体的に構成されているが、この構成に限るものではない。
【０１５０】
なお、回転ベルト４０４は、制御手段２８に配線を介して接続された駆動モータ（図示しない）によって回転される。そして、特殊景品Ｗを１枚毎に景品スタッカ部４０３へ排出する景品押出爪４０２が所定位置に達したことを、ロータリエンコーダ（図示しない）で検知し、景品スタッカ部４０３へ排出された特殊景品Ｗの枚数を計数する。ここで、ロータリエンコーダ（図示しない）には、回転ベルト４０４の位置を検知可能なようにその回転駆動が所定ギヤ比で伝達されている。このロータリエンコーダは、制御手段２８に配線を介して接続されている。また、景品載置検知センサ３０９が特殊景品Ｗを検知しない場合には、回転ベルト４０４は駆動されない。
【０１５１】
また、図１５および１６に示すように、当接部４００の側面の長手方向の中央部には、例えば、両端面にバネが設けられた弾性部材４０５の一端が接続され、弾性部材４０５の他端は、上部ユニット２２の底面部材に接続される。なお、弾性部材４０５の他端が接続されるのは、上部ユニット２２の底面部材に限られるものではなく、例えば、景品カートリッジ挿入口１２の天井板上面や、景品払出機本体で払い出し中に対地不動な部分であればよい。
【０１５２】
この弾性部材４０５は、当接部４００の両側面に少なくとも１個ずつ設けられている。この弾性部材４０５は、バネに限られるものではなく、所定の力に対して一定の割合で変化する弾性部材ならばよい。この弾性部材４０５を設けることで、当接部４００が、所定の範囲で上下に移動可能となる。また、当接部４００の自重および弾性部材４０５による一定の力を当接部４００と接触する特殊景品Ｗに付加することができ、安定してスムーズに特殊景品Ｗを景品スタッカ部４０３に排出することができる。
【０１５３】
また、当接部４００の側面には、上部ユニット２２の底面部材または景品カートリッジ挿入口１２の天井板などに立接された軌道レール４０６に沿って摺動する摺動部材４０７を設けてもよい。この摺動部材４０７を設ける場合、当接部４００の両側面に少なくとも１個ずつ摺動部材４０７を設けることが好ましい。この軌道レール４０６および摺動部材４０７を設けることによって、当接部４００は、所定の軌道上を移動することができる。
【０１５４】
さらに、当接部４００の側面には、当接部４００の上限位置および下限位置を検知するための位置検知板４０８が設置されている。この位置検知板４０８は、鉄板などで形成され、上部に上限位置を検知するための横方向に長い凸部４０８ａと、その凸部４０８ａの下部に、凸部４０８ａよりも横方向に短く、下限位置を検知するための凸部４０８ｂとが形成されている。そして、位置検知板４０８が設置された当接部４００の側面に対向する上部ユニット２２の内壁面には、当接部４００の上限位置および下限位置のそれぞれに対応させて、２つの位置検知センサ４０９（上限位置検知センサ、下限位置検知センサ）が設置されている。
【０１５５】
この位置検知センサ４０９として、例えば、光を出射し、その出射光の位置検知板４０８からの反射光を検知する光センサなどが用いられ、この位置検知センサ４０９は、制御手段２８に回線を介して接続されている。
【０１５６】
また、上部ユニット２２には、景品スタッカ部４０３に押し出された特殊景品Ｗを支持し、上下に昇降可能なスタッカ部昇降台４１０と、このスタッカ部昇降台４１０の背面に設けられたギヤ部４１０ａと係合するギヤ部４１１を介して動力を与え、スタッカ部昇降台４１０を上下に移動するステッピング駆動モータ４１２が設けられている。さらに、スタッカ部昇降台４１０が通過できる程度に、上部ユニット２２の天井部および景品払出ユニット１４が設置される排出天板１７には、開口部４１５が形成されている。
【０１５７】
また、当接部４００に当接した特殊景品Ｗを景品スタッカ部４０３に排出する際に通過する前ゲート４１３と、特殊景品Ｗの排出側と反対側に後ゲート４１４が壁状に設けられている。
【０１５８】
この前ゲート４１３は、当接部４００に当接した特殊景品Ｗを景品スタッカ部４０３に排出する際に、複数の特殊景品Ｗが景品スタッカ部４０３に排出されるのを防止するものである。したがって、当接部４００と前ゲート４１３との高さ方向の隙間は、特殊景品Ｗの規格厚さよりも若干大きい程度であり、特殊景品Ｗの規格厚さの２倍以上となることは無い。一方、後ゲート４１４と当接部４００との隙間は、回転ベルト４０４の景品押出爪４０２が通過できる程度となっている。
【０１５９】
次に、景品払出ユニット１４は、景品払出ユニット１４の筐体内に設けられ、スタッカ部昇降台４１０によって景品払出ユニット１４内に搬送された特殊景品Ｗを排出天板１７上に押し出して払い出す景品押出部１６から主に構成されている。
【０１６０】
この景品押出部１６は、一端側に特殊景品Ｗを押し出す押出板５０１と、この押出板５０１に垂直に接続され、駆動モータ（図示しない）に接続されたギヤ部と係合するギヤ部が設けられた押出板接合部材５０２とから構成されている。なお、駆動モータ（図示しない）は、制御手段２８に回線を介して接続されている。
【０１６１】
図１４に示すように、景品押出部１６の押出板５０１は、特殊景品Ｗの払出動作を行わない場合には、景品払出ユニット１４の景品払出口１５を閉鎖する閉鎖板として機能している。
【０１６２】
また、景品押出部１６の押出板５０１は、特殊景品Ｗの払出動作を行う場合には、スタッカ部昇降台４１０に支持された特殊景品Ｗが景品払出ユニット１４内に搬送される前に、右側（図１４中の景品押出部１６が点線で示された位置）に移動される。そして、スタッカ部昇降台４１０に支持され、景品払出ユニット１４内に搬送された特殊景品Ｗを排出天板１７上に押し出す。
【０１６３】
そして、景品払出ユニット１４は、スタッカ部昇降台４１０の少なくとも上方が固定されたカバーで覆われているため、稼動部であるスタッカ部昇降台４１０、景品押出部１６の押出板５０１が剥き出しにならないので安全である。
【０１６４】
（景品払出機１０の動作の一例）
次に、上記した景品払出機１０における、景品カートリッジ１３の景品払出機１０への装填動作、施錠機構２６の動作、特殊景品Ｗの昇降の動作、上部ユニット２２および景品払出ユニット１４の各動作の一例について、図を参照して説明する。続いて、景品払出機１０の全体の動作の流れを、図を参照して説明する。
まず、景品払出機１０各動作について説明する。
【０１６５】
（景品カートリッジ１３の景品払出機１０への装填動作）
まず、景品カートリッジ１３の景品払出機１０への装填動作について、図６、７および１１を参照して説明する。
【０１６６】
ここで、景品払出機１０には、６個の景品カートリッジ１３を装填することが可能であるが、ここでは、その内の１個の景品カートリッジ１３の装填動作について説明する。なお、他の景品カートリッジ１３の装填動作も以下に示す装填動作と同様である。
【０１６７】
また、６個の景品カートリッジ１３内、例えば、２個の景品カートリッジ１３には、大景品５０００円の特殊景品Ｗ、他の２個の景品カートリッジ１３には、中景品２５００円の特殊景品Ｗ、残りの２個の景品カートリッジ１３には、小景品１００円の特殊景品Ｗが収納される。
【０１６８】
図７に示すように、特殊景品Ｗを収納した景品カートリッジ１３を、一端を先端にして景品カートリッジ挿入口１２から景品払出機１０に挿入する。また、図６に示すように、景品カートリッジ挿入口１２から挿入され、カートリッジ設置板２０４上に載置された景品カートリッジ１３は、所定の位置まで挿入されることで、カートリッジ設置板２０４の外側面に配設されたマグネット用プレート１０６とキャッチ手段１１０に配設されたマグネット１１１とが接続する。
【０１６９】
ここで、キャッチ手段１１０には、挿入された景品カートリッジ１３を識別するためのホール素子（図示しない）が備えられている。そして、制御手段２８は、キャッチ手段１１０に設置されたホール素子からに情報に基づいて、景品カートリッジ挿入口１２に挿入された景品カートリッジ１３が適切なものであるかを判定する。この判定で、挿入された景品カートリッジ１３が適切でない場合には、例えば、ブザーなどで知らせる。
【０１７０】
続いて、制御手段２８は、ステッピング駆動モータ２０６を駆動させ、タイミングベルト２０７を回転させ、カートリッジ設置板２０４を景品カートリッジ挿入口１２からみて奥側に移動させる。
【０１７１】
なお、カートリッジ設置板２０４を移動する際、カートリッジ設置板２０４の暴走により、限界位置に達したことを検知するリミットスイッチを設けてもよい。このリミットスイッチを設けた場合には、制御手段２８は、リミットスイッチからの情報により、ステッピング駆動モータ２０６の駆動を停止させる。
【０１７２】
続いて、カートリッジ設置板２０４の移動中に、キャッチ手段１１０側の景品収納部１００の背面を形成する壁部の外面に設けられた光反射板１０７からの反射光を、景品搬送ユニット２４の内壁面の景品カートリッジ挿入口１２からみて最も奥側に設置された位置検知センサ１０８が検知すると、制御手段２８は、ステッピング駆動モータ２０６の駆動を停止させる。この位置が、景品払出機１０内における景品カートリッジ１３の初期設定位置である。
【０１７３】
この景品カートリッジ１３の初期設定位置とは、最も景品カートリッジ挿入口１２側の景品収納部１００が、カートリッジガイドレール２００の切欠された位置にあること、つまり、昇降台２０２上に設置された景品支持部３５０によって、最も景品カートリッジ挿入口１２側の景品収納部１００に収納された特殊景品Ｗを上方に移動できる位置にあることをいう。
【０１７４】
（施錠機構２６の動作）
次に、施錠機構２６の動作について、図１７〜２２を参照して説明する。
【０１７５】
図１７〜２２には、図７に示した施錠機構２６および施錠機構２６に係止されるカートリッジ挿入口扉２５の断面図が示されている。
【０１７６】
上記した景品カートリッジ１３の景品払出機１０への装填動作によって、景品カートリッジ１３の景品払出機１０への装填が完了すると、カートリッジ挿入口扉２５が閉じられ、施錠機構２６によってカートリッジ挿入口扉２５が施錠される。また、所定の情報によって、施錠機構２６の施錠が解除され、カートリッジ挿入口扉２５が開扉する。この動作を次に詳細に説明する。
【０１７７】
景品カートリッジ１３の景品払出機１０への装填が完了すると、カートリッジ挿入口扉２５が閉じられ、閉じられる際、まず、カートリッジ挿入口扉２５の係止開口部２５ａの施錠機構２６側の上側端縁部３６は、係止突起部２９ａの頂点部に向かって傾斜する外側部に当接する（図１７）。
【０１７８】
さらに、この状態からカートリッジ挿入口扉２５を施錠機構２６側へ押すと、ロック機能部２９には、下方に力が加わり、ロック機能部２９の係止突起部２９ａ側は、支軸部３１を中心に下方に回転する（図１８）。
【０１７９】
さらに、カートリッジ挿入口扉２５を施錠機構２６側へ押すと、ロック機能部２９の係止突起部２９ａ側は、さらに下方に回転し、係止開口部２５ａの上側内壁面３７が、係止突起部２９ａの頂点部３８に接する（図１９）。
【０１８０】
そして、カートリッジ挿入口扉２５を施錠機構２６側へさらに押すと、カートリッジ挿入口扉２５の係止開口部２５ａに係止突起部２９ａが貫通し、略直角に屈曲した係止突起部２９ａの内側部にカートリッジ挿入口扉２５の係止開口部２５ａの縁部が接触して施錠状態となる（図２０）。ここで、係止突起部２９ａが係止開口部２５ａに貫通した場合（図１９に示すように、係止突起部２９ａがカートリッジ挿入口扉２５の右側に位置する場合）には、ロック機能部２９の係止突起部２９ａ側は、弾性部材３３の復元力によって上方に引張られるため、ロック機能部２９は、ほぼ水平な状態まで、支軸部３１を中心に上方に回転する。
【０１８１】
続いて、施錠機構２６の施錠を解除する情報に基づいて、施錠機構２６の施錠を解除する動作について説明する。
【０１８２】
施錠機構２６の施錠を解除する情報に基づいて、ロック解除作動部３０が駆動し、ロック解除作動部３０に他端が接続されたロック機能部２９の他端側を上方に吊り上げる。これによって、支軸部３１を回転軸としてロック機能部２９の一端側（係止突起部２９ａ側）が下方に回転し始める（図２１）。
【０１８３】
ロック解除作動部３０がロック機能部２９の他端側をさらに上方に吊り上げると、ロック機能部２９の一端側（係止突起部２９ａ側）がさらに下方に回転し、係止開口部２５ａから係止突起部２９ａが外れ、この反力でカートリッジ挿入口扉２５が自動的に開扉する（図２２）。
【０１８４】
ここで、施錠機構２６の施錠を解除する情報として、例えば、３列ある景品収納部１００内の特殊景品Ｗが全て無くなったことを検知した景品載置検知センサ３０９からの情報、景品払出機１０の操作表示パネル２１に設けられたテンキー２１ｆなどによって入力された入力情報、景品払出機１０の背面扉１１が開けられたことを背面扉開扉検知手段１１ｃで検知した場合に出力される情報などを利用することができる。
【０１８５】
（特殊景品Ｗの昇降の動作）
次に、図１２、１４、２３〜２５を参照して、初期設定位置に移動された景品カートリッジ１３の景品収納部１００に収納された特殊景品Ｗを上方に押し上げる動作の一例を説明する。
【０１８６】
図２３〜２５には、景品収納部１００に収納された特殊景品Ｗを景品支持部３５０で支持し、上部に移動する状態を示す断面図が示されている。
【０１８７】
制御手段２８からの指示に基づいて、ステッピング駆動モータ３０１が駆動されると、ギヤ部３０２がスパイラルシャフト３０３にその動力を伝達し、スパイラルシャフト３０３を回転させる。スパイラルシャフト３０３が回転すると、昇降台２０２が上昇し、景品支持部３５０が上昇し始める（図２３）。
【０１８８】
景品支持部３５０が上昇し、景品支持部３５０の支持部材２０１の上面が、景品収納部１００に収納された最下部の特殊景品Ｗの下面に接する（図２４）。
【０１８９】
そして、積層された特殊景品Ｗは、支持部材２０１によって支持されて景品収納部１００内を上方に移動される。
【０１９０】
そして、積層された特殊景品Ｗの上部は、景品カートリッジ挿入口１２の天井面に開口された開口部３０８を通過し、上部ユニット２２内に搬送される（図２５）。
【０１９１】
そして、図１４に示すように、支持部材２０１に支持された特殊景品Ｗが、当接部４００の景品受ローラ４０１に当接する状態に設置される。
【０１９２】
ここで、制御手段２８は、当接部４００の位置が所定の位置にあるか否かを位置検知センサ４０９からの情報に基づいて判断し、当接部４００の位置の設定を行う。
【０１９３】
この当接部４００の位置の設定について、図２６を参照して説明する。
【０１９４】
図２６には、当接部４００の位置の設定における動作の流れを示す図が示されている。
制御手段２８は、位置検知センサ４０９（上限位置検知センサ）からの情報に基づいて、位置検知センサ４０９（上限位置検知センサ）がＯＮか、ＯＦＦかを判定する（ステップＳ６００）。
【０１９５】
ステップＳ６００の判定で、ＯＮと判定すると、制御手段２８は、景品支持部３５０を下降させる方向にステッピング駆動モータ３０１を回転させる情報を出力し、景品支持部３５０を下降させる（ステップＳ６０１）。
【０１９６】
ステップＳ６００の判定でＯＦＦと判定された場合またはステップＳ６０１の動作後、制御手段２８は、位置検知センサ４０９（下限位置検知センサ）からの情報に基づいて、位置検知センサ４０９（下限位置検知センサ）がＯＮか、ＯＦＦかを判定する（ステップＳ６０２）。
【０１９７】
ステップＳ６０２の判定で、ＯＮと判定すると、制御手段２８は、景品支持部３５０を上昇させる方向にステッピング駆動モータ３０１を回転させる情報を出力し、景品支持部３５０を上昇させる（ステップＳ６０３）。
【０１９８】
ステップＳ６０２の判定でＯＦＦと判定された場合またはステップＳ６０３の動作後、さらにステップＳ６００からの動作を繰り返し、当接部４００が、上限位置と下限位置との間に位置するように位置設定される。
【０１９９】
また、上部ユニット２２の天井面の下端近傍に設置された景品載置検知センサ３０９によって、景品カートリッジ挿入口１２側の景品収納部１００に収納された特殊景品Ｗがなくなったことが検知された場合には、制御手段２８は、景品支持部３５０を下降させる方向にステッピング駆動モータ３０１を回転させる情報を出力し、景品支持部３５０の支持部材２０１の上面がカートリッジ設置板２０４より下方に位置するまで景品支持部３５０を下降させる。
【０２００】
続いて、制御手段２８は、ステッピング駆動モータ２０６を駆動させ、カートリッジ設置板２０４を景品カートリッジ挿入口１２側に移動して、最も景品カートリッジ挿入口１２側の景品収納部１００に隣接する景品収納部１００を景品支持部３５０上に移動する。
【０２０１】
続いて、最も景品カートリッジ挿入口１２側の景品収納部１００の場合と同様に、その隣接する景品収納部１００に収納される特殊景品Ｗを当接部４００の景品受ローラ４０１に当接させる。そして、図２６を参照して上述した当接部４００の位置の設定動作を行う。
【０２０２】
また、景品載置検知センサ３０９によって、３列ある景品収納部１００内の特殊景品Ｗが全て無くなったことが検知された場合には、制御手段２８は、景品支持部３５０を下降させる方向にステッピング駆動モータ３０１を回転させる情報を出力し、景品支持部３５０の支持部材２０１の上面がカートリッジ設置板２０４より下方に位置するまで景品支持部３５０を下降させる。そして、その景品カートリッジ１３を景品カートリッジ挿入口１２から取り出し可能な状態にする。
【０２０３】
ここで、景品カートリッジ挿入口１２の取り出し可能な位置とは、最も奥側の景品収納部１００が、カートリッジガイドレール２００の切欠された位置にあること、つまり、昇降台２０２上に設置された景品支持部３５０によって、最も奥側の景品収納部１００に収納された特殊景品Ｗを上方に移動できる位置にあることをいう。
【０２０４】
また、景品カートリッジ１３を景品カートリッジ挿入口１２から取り出し可能な状態になったときに、例えば、制御手段２８は、景品カートリッジ１３を景品カートリッジ挿入口１２から取り出し可能であることを報知するための情報を景品払出ユニット１４の上面の両端に設置されたスピーカ２０に出力してもよい。その情報を入力したスピーカ２０からは、例えば、「景品カートリッジを取り出し可能です」などの音声情報が発せられる。
【０２０５】
また、制御手段２８は、景品カートリッジ１３を景品カートリッジ挿入口１２から取り出し可能であることを報知するための情報を操作表示パネル２１に設けられた表示部２１ａに出力してもよい。その情報を入力した表示部２１ａでは、例えば、「景品カートリッジを取り出し可能です」などの表示がされる。
【０２０６】
なお、上記したように特殊景品Ｗを排出する景品収納部１００の移動を行っている際にも、他の景品カートリッジ挿入口１２に装填された景品カートリッジ１３を用いることで、特殊景品Ｗの支払動作を続けることが可能である。
【０２０７】
また、景品カートリッジ１３を景品カートリッジ挿入口１２から取り出し可能な状態にする動作は、景品載置検知センサ３０９からの出力に基づいて、３列ある景品収納部１００内の特殊景品Ｗが全て無くなったことが検知された場合以外に、例えば、景品払出機１０の操作表示パネル２１に設けられたテンキー２１ｆなどによって、景品カートリッジ１３を取り出す指示をすることもできる。さらに、景品払出機１０の背面扉１１が開けられたことを背面扉開扉検知手段１１ｃで検知した場合に、景品カートリッジ１３を景品カートリッジ挿入口１２から取り出し可能な状態にする動作を行わせてもよい。
【０２０８】
（上部ユニット２２および景品払出ユニット１４の動作）
次に、上部ユニット２２および景品払出ユニット１４における動作について、図２７〜３１を参照して説明する。
【０２０９】
図２７〜２９には、上部ユニット２２の動作を示す断面図が示されている。また、図３０および３１には、景品払出ユニット１４の動作を示す断面図が示されている。
【０２１０】
制御手段２８は、特殊景品Ｗの払い出しに関する情報に基づいて、回転ベルト４０４を駆動する駆動モータ（図示しない）を駆動し、回転ベルト４０４を回転させる。そして、回転ベルト４０４が回転し、回転ベルト４０４の景品押出爪４０２が、景品受ローラ４０１に当接した最上部の特殊景品Ｗを押し出す（図２７）。
【０２１１】
景品押出爪４０２によって特殊景品Ｗの積層部から押し出された特殊景品Ｗは、当接部４００と前ゲート４１３との間の隙間を通って、景品スタッカ部４０３に排出され、スタッカ部昇降台４１０上に載置される（図２８）。
【０２１２】
上記した動作（図２７および図２８）を繰り返し、所定数の特殊景品Ｗをスタッカ部昇降台４１０上に載置する（図２９）。
【０２１３】
制御手段２８は、所定数の特殊景品Ｗがスタッカ部昇降台４１０上に載置されたことを検知すると、スタッカ部昇降台４１０を上昇させる前に、景品押出部１６を駆動する駆動モータ（図示しない）を駆動させる。そして、景品押出部１６を景品払出口１５側とは反対側（図２９では右側）に移動し、景品払出口１５側の押出板５０１の面を景品払出口１５側とは反対側の開口部４１５の端辺上またはそれより奥に位置させる（図３０）。
【０２１４】
続いて、制御手段２８は、ステッピング駆動モータ４１２を駆動し、スタッカ部昇降台４１０を上昇させる。スタッカ部昇降台４１０の上面が、景品払出ユニット１４の下面（排出天板１７の上面）と水平になる位置で景品払出ユニット１４の上昇が停止する（図３０）。
【０２１５】
続いて、制御手段２８は、景品押出部１６を駆動する駆動モータ（図示しない）を駆動させ、景品押出部１６を景品払出口１５側に移動し、特殊景品Ｗを景品払出口１５から排出する（図３１）。
【０２１６】
ここで、１つの景品払出口１５から１回に払い出される特殊景品Ｗの最大数は、１０個であり、例えば、払い出される特殊景品Ｗの数が１１〜２０個の場合には、異なるレーンの景品カートリッジ１３を用いて、２つの景品払出口１５から特殊景品Ｗが払い出される。また、払い出される特殊景品Ｗの数が２１個以上の場合には、複数回の払出動作によって、景品払出口１５から特殊景品Ｗが払い出される。
【０２１７】
また、各レーンの景品カートリッジ１３に収納される特殊景品Ｗの在庫枚数が、そのレーンから払い出すべき枚数に満たない場合は、在庫分を全てそのレーンから払い出し、残りを同じ特殊景品Ｗが収納されている他のレーンの景品カートリッジ１３から払い出すことができる。
【０２１８】
（景品払出機１０の全体の動作の一例）
次に、景品払出機１０の全体の動作の一例を、図３２〜３４を参照して説明する。
【０２１９】
図３２は、景品払出機１０の構成部を示す図、図３３および３４は、景品払出機１０における動作の流れを示す図である。
【０２２０】
ここで、図３２に示した、景品カートリッジ装填手段６２０、施錠手段６２１、景品昇降手段６２２、上部ユニット搬送手段６２３、景品払出ユニット搬送手段６２４は、それぞれ上述した、景品カートリッジ１３の景品払出機１０への装填動作、施錠機構２６の動作、特殊景品Ｗの昇降の動作、上部ユニット２２の動作、景品払出ユニット１４の動作を行うものである。
【０２２１】
そして、制御手段２８によって制御される、景品カートリッジ装填手段６２０、施錠手段６２１、景品昇降手段６２２、上部ユニット搬送手段６２３、景品払出ユニット搬送手段６２４の各機器部は、次のように動作する（図３３および３４）。
【０２２２】
以下に、図３３および３４を参照してその動作を説明する。
【０２２３】
ここでは、６個の景品カートリッジ１３を装填した景品払出機１０について説明する。また、各景品カートリッジ１３が装填される景品搬送ユニット２４をレーンと記載し、景品払出機１０は、１〜６のレーンを備える。
【０２２４】
まず、制御手段２８は、１レーンに関する取り出しボタンが押されたか否かを判定する（ステップＳ６３０）。なお、ここで、取り出しボタンは、景品払出機１０の操作表示パネル２１に設けられたテンキー２１ｆなどに設けられている。
【０２２５】
ステップＳ６３０の判定で、Ｙｅｓの場合には、レーンに関するレーン番号（ｊ）を１に書き換える（ステップＳ６３１）。
【０２２６】
続いて、図３４に示したレーンサブルーチンの「Ｐ」からの動作を行う（ステップＳ６３２）。
【０２２７】
ここで、レーンサブルーチンの「Ｐ」からの動作について、図３４を参照して説明する。
【０２２８】
制御手段２８は、ＦＬＧ（ｊ）（この場合１レーンに関するものなのでＦＬＧ（１））を１に書き換え、景品カートリッジ装填手段６２０および景品昇降手段６２２による上記した動作によって、１レーンの景品カートリッジ１３を景品払出機１０から取り出し可能な位置に移動させる動作を行う（ステップＳ８００）。この際、施錠手段６２１の上記した動作によって、施錠機構２６は開錠され、カートリッジ挿入口扉２５は開扉されている。
【０２２９】
続いて、制御手段２８は、位置検知センサ３０７からの情報に基づいて、リフト機構３００の昇降台２０２が所定の最下部の位置にあるか否かを判定する（ステップＳ８０１）。
【０２３０】
ステップＳ８０１の判定で、Ｎｏの場合には、制御手段２８は、景品昇降手段６２２を作動させ、昇降台２０２を所定の最下部の位置まで降下させる（ステップＳ８０２）。
【０２３１】
ステップＳ８０１の判定で、Ｙｅｓの場合には、制御手段２８は、位置検知センサ１０８からの情報に基づいて、景品カートリッジ１３が景品払出機１０から取り出し可能な位置にあるか否かを判定する（ステップＳ８０３）。
【０２３２】
ステップＳ８０３の判定で、Ｎｏの場合には、制御手段２８は、景品カートリッジ装填手段６２０を作動させ、景品カートリッジ１３を所定の位置まで移動する（ステップＳ８０４）。
【０２３３】
ステップＳ８０３の判定で、Ｙｅｓの場合には、制御手段２８は、景品カートリッジ１３を景品カートリッジ挿入口１２から取り出し可能であることを報知するための情報を景品払出ユニット１４の上面の両端に設置されたスピーカ２０に出力し、スピーカ２０から例えば、「景品カートリッジを取り出し可能です」などの音声情報を出させる。また、制御手段２８は、景品カートリッジ１３を景品カートリッジ挿入口１２から取り出し可能であることを報知するための情報を操作表示パネル２１に設けられた表示部２１ａに出力してもよい。その情報を入力した表示部２１ａでは、例えば、「景品カートリッジを取り出し可能です」などの表示してもよい（ステップＳ８０５）。
【０２３４】
続いて、制御手段２８は、ＦＬＧ（ｊ）（この場合１レーンに関するものなのでＦＬＧ（１））を０に書き換え、景品カートリッジ取出可能な状態にする（ステップＳ８０６）。
【０２３５】
続いて、２レーン〜６レーンについて、上記した１レーンにおける動作と同様の動作を行う（図３３のステップＳ６３３〜ステップＳ６４７）。なお、この際、各レーン番号に対応させて、レーン番号（ｊ）は２〜６に書き換えられる。
【０２３６】
続いて、制御手段２８は、１レーンに、特殊景品Ｗが補充した景品カートリッジ１３を装填した後に押される補充完了ボタンが押されたか否かを判定する（ステップＳ６４８）。なお、ここで、補充完了ボタンは、景品払出機１０の操作表示パネル２１に設けられたテンキー２１ｆなどに設けられている。
【０２３７】
ステップＳ６４８の判定で、Ｙｅｓの場合には、レーンに関するレーン番号（ｊ）を１に書き換える（ステップＳ６４９）。
【０２３８】
続いて、図３４に示したレーンサブルーチンのステップＳ８１０からの動作を行う（ステップＳ６５０）。
【０２３９】
ここで、レーンサブルーチンのステップＳ８１０からの動作について、図３４を参照して説明する。
【０２４０】
まず、制御手段２８は、この補充動作が初回か否かを判定する（ステップＳ８１０）。
【０２４１】
ステップＳ８１０の判定で、Ｙｅｓの場合には、各レーンに充填された景品カートリッジ１３の３つの景品収納部１００の列番号を示すｋ（ｊ）を２に書き換える（ステップＳ８１１）。ここで示す１つの景品カートリッジ１３には、景品収納部１００が３つあるので、ｋ（ｊ）の値は、０〜２の３つの値を採り、最も景品カートリッジ挿入口１２側の景品収納部１００に対応するｋ（ｊ）の値は２であり、最も奥側の景品収納部１００に対応するｋ（ｊ）の値は０である。例えば、ｋ（１）が２とは、１レーンに充填された景品カートリッジ１３の最も景品カートリッジ挿入口１２側の景品収納部１００を示している。
【０２４２】
続いて、ステップＳ８１０の判定で、Ｎｏの場合、または、ステップＳ８１１の動作後、ＦＬＧ（ｊ）（この場合１レーンに関するものなのでＦＬＧ（１））を３に書き換え、景品カートリッジ装填手段６２０および景品昇降手段６２２による上記した動作によって、１レーンの景品カートリッジ１３を初期設定位置および払出可能な位置に移動させる動作を行う（ステップＳ８１２）。この際、施錠手段６２１の上記した動作によって、カートリッジ挿入口扉２５は、施錠機構２６によって施錠される。
【０２４３】
続いて、制御手段２８は、位置検知センサ１０８からの情報に基づいて、ｋ（１）が２の景品収納部１００に収納される特殊景品Ｗを上方に搬送可能な位置か否かを判定する（ステップＳ８１３）。
【０２４４】
ステップＳ８１３の判定で、Ｎｏの場合には、制御手段２８は、景品カートリッジ装填手段６２０を作動させ、景品カートリッジ１３を初期設定位置（ｋ（１）が２の景品収納部１００に収納される特殊景品Ｗを上方に搬送可能な位置）まで移動する（ステップＳ８１４）。
【０２４５】
ステップＳ８１３の判定で、Ｙｅｓの場合には、制御手段２８は、位置検知板４０８からの情報に基づいて、リフト機構３００の昇降台２０２が所定の位置（当接部４００が上限位置と下限位置との間にある位置）にあるか否かを判定する（ステップＳ８１５）。
【０２４６】
ステップＳ８１５の判定で、Ｎｏの場合には、制御手段２８は、景品昇降手段６２２を作動させ、所定の位置まで特殊景品Ｗを上昇または下降させる（ステップＳ８１６）。
【０２４７】
一方、ステップＳ８１５の判定で、Ｙｅｓの場合には、制御手段２８は、ステッピング駆動モータ３０１に接続されたギヤ部３０２とステッピング駆動モータ３０１との間の回転軸に設置されたエンコーダ部３１０からの情報に基づいて、ｋ（１）が２の景品収納部１００に収納される特殊景品Ｗの残量を検知する（ステップＳ８１７）。
【０２４８】
続いて、制御手段２８は、ステップＳ８１７で検知された特殊景品Ｗの残量の値に基づいて、その残量が０か否かを判定する（ステップＳ８１８）。
【０２４９】
ステップＳ８１８の判定で、Ｎｏの場合には、制御手段２８は、ＦＬＧ（ｊ）（この場合１レーンに関するものなのでＦＬＧ（１））を２に書き換え、上部ユニット搬送手段６２３および景品払出ユニット搬送手段６２４による上記した動作によって、１レーンから特殊景品Ｗを払い出し可能な状態にする（ステップＳ８１９）。
【０２５０】
ステップＳ８１８の判定で、Ｙｅｓの場合には、１レーンに充填された景品カートリッジ１３の最も奥側の景品収納部１００には特殊景品Ｗが無いので、制御手段２８は、その景品カートリッジ１３の中央の景品収納部１００を対象とした動作を行ように、ｋ（ｊ）の値から１を引き、ｋ（ｊ）を２から１に書き換える（ステップＳ８２０）。
【０２５１】
なお、景品収納部１００に収納される特殊景品Ｗの残量、特に残量の有無の検知は、上部ユニット２２の天井面の下端近傍に設置された景品載置検知センサ３０９からの情報に基づいて行ってもよい。
【０２５２】
続いて、制御手段２８は、ｋ（ｊ）の値が０より小さいか否かを判定する（ステップＳ８２１）。
【０２５３】
ステップＳ８２１の判定で、Ｎｏの場合には、待機状態となる。一方、ステップＳ８２１の判定で、Ｙｅｓの場合には、すべての景品収納部１００の特殊景品Ｗの残量が０であるので、上記したステップＳ８００からの景品カートリッジ１３を景品カートリッジ挿入口１２から取り出し可能な位置に移動するための動作が行われる。
【０２５４】
続いて、２レーン〜６レーンについて、上記した１レーンにおける補充完了に関する動作と同様の動作を行う（図３３のステップＳ６５１〜ステップＳ６６５）。なお、この際、各レーン番号に対応させて、レーン番号（ｊ）は２〜６に書き換えられる。
【０２５５】
ここで、ＦＬＧ（ｊ）が４の場合には、図３４に示したレーンサブルーチンの「Ｑ」からの動作を行う。
【０２５６】
次に、レーンサブルーチンの「Ｑ」からの動作について、図３４を参照して説明する。
【０２５７】
この動作は、特殊景品Ｗを払い出し中に、払い出しされていた景品収納部１００に特殊景品Ｗが無くなった場合に行われる動作である。この場合の特殊景品Ｗの有無の判定は、エンコーダ部３１０からの情報、または景品載置検知センサ３０９からの情報に基づいて制御手段２８が判定する。
【０２５８】
制御手段２８は、ＦＬＧ（ｊ）（１レーンに関する場合にはＦＬＧ（１））を４に書き換え、景品昇降手段６２２による上記した動作によって、ｊレーンの昇降台２０２を所定の最下部の位置に移動させる動作を行う（ステップＳ８３０）。
【０２５９】
制御手段２８は、位置検知センサ３０７からの情報に基づいて、リフト機構３００の昇降台２０２が所定の最下部の位置にあるか否かを判定する（ステップＳ８３１）。
【０２６０】
ステップＳ８３１の判定で、Ｎｏの場合には、制御手段２８は、景品昇降手段６２２を作動させ、昇降台２０２を所定の最下部の位置まで降下させる（ステップＳ８３２）。
【０２６１】
ステップＳ８３１の判定で、Ｙｅｓの場合には、使用している景品収納部１００には特殊景品Ｗが無いので、制御手段２８は、使用している景品収納部１００よりも１つ景品カートリッジ挿入口１２側の景品収納部１００を対象とした動作を行ように、ｋ（ｊ）から１を引いた値にｋ（ｊ）を書き換える（ステップＳ８３３）。
【０２６２】
続いて、制御手段２８は、ｋ（ｊ）の値が０より小さいか否かを判定する（ステップＳ８３４）。
【０２６３】
ステップＳ８３４の判定で、Ｎｏの場合には、少なくとも１つの景品収納部１００には特殊景品Ｗが収納されているので、ステップＳ８１２に進む。
【０２６４】
ステップＳ８３４の判定で、Ｙｅｓの場合には、すべての景品収納部１００に特殊景品Ｗが収納されていないので、景品カートリッジ１３を景品カートリッジ挿入口１２から取り出し可能な位置に移動するため、ステップＳ８００に進む。
【０２６５】
続いて、図３３に示すように、制御手段２８は、すべてのレーンから一斉に景品カートリッジ１３を取り出し可能とするための一斉取り出しボタンが押されたか否かを判定する（ステップＳ６６６）。なお、ここで、一斉取り出しボタンは、例えば、景品払出機１０の操作表示パネル２１に設けられたテンキー２１ｆなどに設けられている。
【０２６６】
ステップＳ６６６の判定で、Ｙｅｓの場合には、ＦＬＧ（１）からＦＬＧ（６）の値をすべて１き書き換え、上記したＦＬＧの値が１の場合に行われる景品払出機１０から景品カートリッジ１３を取り出し可能とする動作（ステップＳ８０１〜ステップＳ８０６）を行うことを可能にする（ステップＳ６６７）。
【０２６７】
また、この際、施錠手段６２１の上記した動作によって、施錠機構２６は開錠され、すべてのカートリッジ挿入口扉２５は開扉されている。
【０２６８】
ステップＳ６６６の判定で、Ｎｏの場合、またはステップＳ６６７の動作後には、制御手段２８は、ＦＬＧ（ｍ）のレーン番号（ｍ）を６に書き換え（ＦＬＧ（６））、６レーンに関する動作設定を行う（ステップＳ６６８）。
【０２６９】
続いて、制御手段２８は、ＦＬＧ（ｍ）のレーン番号（ｍ）が０より小さいか否かを判定する（ステップＳ６６９）。
【０２７０】
ステップＳ６６９の判定で、Ｎｏの場合には、制御手段２８は、ＦＬＧ（ｍ）の値が１、３、４のいずれかであるか否かを判定する（ステップＳ６７０）。
【０２７１】
ステップＳ６７０の判定で、ＦＬＧ（ｍ）（６レーンに関する場合には、ＦＬＧ（６））の値が１の場合には、図３４に示したレーンサブルーチンの「Ｃ」からの景品払出機１０から景品カートリッジ１３を取り出し可能とする動作を行わせる。また、ＦＬＧ（ｍ）（６レーンに関する場合には、ＦＬＧ（６））の値が３の場合には、図３４に示したレーンサブルーチンの「Ｂ」からの景品カートリッジ１３を初期設定位置および払出可能な位置に移動させる動作を行わせる。さらに、ＦＬＧ（ｍ）（６レーンに関する場合には、ＦＬＧ（６））の値が４の場合には、図３４に示したレーンサブルーチンの「Ａ」からの特殊景品Ｗを払い出し中に、払い出しされていた景品収納部１００に特殊景品Ｗが無くなった場合に行われる動作を行わせる。
【０２７２】
また、ＦＬＧ（ｍ）の値が１、３、４以外の場合には、制御手段２８は、ＦＬＧ（ｍ）のレーン番号（ｍ）から１を引いて、「ｍ−１」のレーンに関する動作設定を行う（ステップＳ６７１）。そして、ステップＳ６６９に進む。
【０２７３】
続いて、ステップＳ６６９の判定で、Ｙｅｓの場合には、制御手段２８は、上部ユニット搬送手段６２３、景品払出ユニット搬送手段６２４による上記した動作によって、景品払出機１０から特殊景品Ｗの払い出し動作を行わせる（ステップＳ６７２）。また、ステップＳ６７２において、特殊景品Ｗを払い出し中に、払い出しされていた景品収納部１００に特殊景品Ｗが無くなった場合には、上述した図３４の「Ｑ」からの動作を行う。
【０２７４】
上記したように、景品払出機１０の一実施の形態によれば、景品カートリッジ１３の景品払出機１０への装填動作を行う景品カートリッジ装填手段６２０、特殊景品Ｗの昇降の動作を行う景品昇降手段６２２を備え、所定の入力情報に基づいて、それぞれを自動的に制御手段２８で制御することができる。これによって、景品カートリッジ１３が景品払出機１０から取り出し可能な位置にある場合には、景品昇降手段６２２を所定の位置に移動させることで、景品カートリッジ１３を景品払出機１０から取り出し可能とすることができる。一方、景品カートリッジ１３が景品払出機１０から取り出し可能な位置にない場合には、景品昇降手段６２２および景品カートリッジ装填手段６２０の双方を動作させることで、景品カートリッジ１３を景品払出機１０から取り出し可能とすることができる。
【０２７５】
また、景品払出機１０では、景品払出機に複数の景品カートリッジ１３を装填することができ、それぞれの景品カートリッジ１３に対応したレーンから、上部ユニット２２の動作を行う上部ユニット搬送手段６２３および景品払出ユニット１４の動作を行う景品払出ユニット搬送手段６２４によって、特殊景品Ｗを個々に払い出すことができる。また、それぞれの景品カートリッジ１３に対応して、景品昇降手段６２２と景品カートリッジ装填手段６２０が備えられている。そして、各景品昇降手段６２２と各景品カートリッジ装填手段６２０は、所定の入力情報に基づいて、制御手段２８でそれぞれ制御され、例えば、所定の景品搬送ユニット２４の景品昇降手段６２２と景品カートリッジ装填手段６２０のみを動作させることや、すべての景品搬送ユニット２４の景品昇降手段６２２と景品カートリッジ装填手段６２０を同時に動作させることができる。
【０２７６】
例えば、すべての景品搬送ユニット２４の景品昇降手段６２２と景品カートリッジ装填手段６２０を同時に動作させる場合には、景品払出機１０に充填されているすべての景品カートリッジ１３を同時に景品払出機１０から取り出し可能とすることができる。
【０２７７】
さらに、景品払出機１０に施錠機構２６を有し、景品カートリッジ挿入口１２を閉鎖するカートリッジ挿入口扉２５が設けられているので、例えば、従業員以外の者が景品カートリッジ挿入口１２内に装填されている景品カートリッジ１３を取り出すことはできないため、防犯機能を向上させることができる。また、この施錠機構２６は、所定の入力情報に基づいて、自動的に開錠しカートリッジ挿入口扉２５を開扉可能にすることができ、作業効率を向上させることができる。
【０２７８】
また、施錠機構２６の開錠に伴って、自動的にカートリッジ挿入口扉２５を開扉することができるので、例えば、景品カートリッジ挿入口１２から景品カートリッジ１３を取り出す際に、カートリッジ挿入口扉２５を従業員が開くことなく作業を行うことができ、作業効率を向上させることができる。さらに、カートリッジ挿入口扉２５を閉じることで、従業員が施錠の作業をすることなく、自動的に施錠することができるので、作業効率を向上させることができる。また、この施錠状態は電源を切った状態でも維持されるので、盗難などを防止することができる。
【０２７９】
（景品払出システム７００）
次に、景品払出システム７００について、図３５〜３７を参照して説明する。
【０２８０】
図３５には、上述した景品払出機１０に配線を介して景品管理機（ＰＯＳ）７０１が接続された景品払出システム７００の一例が示されている。
【０２８１】
なお、ここには、景品払出機１０に配線を介して景品管理機（ＰＯＳ）７０１が接続された景品払出システム７００の一例を示しているが、この構成に限らず、景品払出機１０と景品管理機（ＰＯＳ）７０１との接続は、例えば、ネットワーク、管理総理（図示しない）を介して行われてもよい。また、複数の景品管理機（ＰＯＳ）７０１を景品払出機１０に配線を介して接続することもできる。
【０２８２】
また、図３６は、景品管理機（ＰＯＳ）７０１の構成部を示す図、図３７は、景品管理機（ＰＯＳ）７０１における動作の流れを示す図である。
【０２８３】
まず、図３５を参照して、景品払出機１０に接続された景品管理機（ＰＯＳ）７０１の構成について説明する。
【０２８４】
景品管理機（ＰＯＳ）７０１は、ＩＣカード挿入口７０１ａ、入力用テンキーボード７０１ｂ、バーコードリーダ７０１ｃ、表示部７０１ｄ、特殊景品ボタン７０１ｅ、一般景品選択部７０１ｆで主に構成されている。
【０２８５】
景品管理機（ＰＯＳ）７０１は、ＩＣカード挿入口７０１ａより挿入されたＩＣカードより貯玉数を参照し、貯玉数とその貯玉数により交換される景品種別と数量の表示を行い、払い出す景品の種別と数量の情報を景品払出機１０に出力するものである。ここで、ＩＣカードは、カード形状を有し、従来から遊技システムで使用されていたＩＣチップおよびアンテナを有する記憶媒体である。
【０２８６】
また、景品管理機（ＰＯＳ）７０１において、獲得した遊技媒体数を計数する計数機（図示しない）で発券されたレシートを用いる場合には、バーコードリーダ７０１ｃでレシートに記録されたバーコード情報を読み取り、その情報に基づく貯玉数の範囲で、景品の種類と数量の情報を景品払出機１０に出力するものである。
【０２８７】
入力用テンキーボード７０１ｂは、ＩＣカードの暗証番号の入力、景品払出機１０への動作指示などを行う際の入力手段として用いられる。
【０２８８】
特殊景品ボタン７０１ｅは、例えば、大景品（５０００円）、中景品（２５００円）、小景品（１００円）などの特殊景品Ｗを景品払出機１０から払い出す際に押されるボタンである。特殊景品ボタン７０１ｅが押された場合には、景品管理機（ＰＯＳ）７０１は、貯玉数より端玉（景品と交換後の残り玉）を最小にするよう計算し、払い出す特殊景品Ｗの種類、数量を決定し、その情報を景品払出機１０に出力する。
【０２８９】
一般景品選択部７０１ｆは、例えば、タバコ、ジュースなどの一般景品と交換する場合に、交換したい景品や個数を選択する入力手段である。一般景品と交換する場合には、店員などが景品を払い出すことが多いが、景品払出機などで自動的に景品を払い出すこともできる。
【０２９０】
図３６に示すように、景品管理機（ＰＯＳ）７０１は、制御部７０２、ＩＣカード処理部７０３、記録媒体処理部７０４、選択ボタン検知部７０５、景品払出処理部７０６から主に構成されている。
【０２９１】
制御部７０２は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部７０２では、ＩＣカード処理部７０３、記録媒体処理部７０４、選択ボタン検知部７０５、景品払出処理部７０６の各機部間の信号の出入力を制御している。
【０２９２】
ＩＣカード処理部７０３は、ＩＣカード挿入口７０１ａから挿入されたＩＣカードに記憶された、例えば、有価情報などの読み取り、その読み取った情報の制御部７０２への出力、制御部７０２からの更新された有価情報などのＩＣカードへの書き込みなどを行うもので、例えば、リーダライタなどで構成される。ここで、有価情報とは、貯玉数または貯メダル数の情報である。
【０２９３】
記録媒体処理部７０４は、バーコードリーダ７０１ｃなどによって、レシートに記録されたバーコード情報から貯玉数または貯メダル数の有価情報を読み取り、その読み取った情報を制御部７０２に出力するものである。
【０２９４】
ＩＣカード処理部７０３や記録媒体処理部７０４で読み取られた、例えば、貯玉数または貯メダル数などの情報は、表示部７０１ｄに表示される。また、表示部７０１ｄには、景品交換される景品の種類や個数なども表示させる。
【０２９５】
選択ボタン検知部７０５は、入力用テンキーボード７０１ｂ、特殊景品ボタン７０１ｅ、一般景品選択部７０１ｆなどの選択ボタンが押されたことを検知し、その押された信号に基づいて、制御部７０２に信号を出力するものである。
【０２９６】
景品払出処理部７０６は、選択ボタン検知部７０５で検知された信号に基づいて、例えば、景品払出機１０に払い出される特殊景品Ｗの種類や個数などの景品払出情報を出力するものである。また、景品払出処理部７０６は、景品払出機１０の制御手段２８と回線を介して接続され、信号の入出力が可能である。
【０２９７】
そして、制御部７０２によって制御される、ＩＣカード処理部７０３、記録媒体処理部７０４、選択ボタン検知部７０５、景品払出処理部７０６の各機器部は、次のように動作する（図３７）。
【０２９８】
以下に、図３７を参照してその動作を説明する。
【０２９９】
ＩＣカード処理部７０３においてＩＣカードが挿入されているか否かが判定される（ステップＳ７１０）。
【０３００】
ステップＳ７１０の判定で、Ｎｏの場合には、バーコードリーダによって、レシートに記録された貯玉数などの有価情報を読み取る（ステップＳ７１１）。ＩＣカード処理部７０３において読み取られた有価情報は、制御部７０２に出力される（ステップＳ７１１）。
【０３０１】
ステップＳ７１０の判定で、Ｙｅｓの場合には、ＩＣカード処理部７０３は、ＩＣカードに記憶された暗証番号を読み取り、読み取った暗証番号を制御部７０２に出力する（ステップＳ７１２）。
【０３０２】
また、選択ボタン検知部７０５は、入力用テンキーボード７０１ｂで入力された暗証番号を検知し、その検知信号を制御部７０２に出力する（ステップＳ７１３）。制御部７０２は、ＩＣカードから読み取られた暗証番号と入力用テンキーボード７０１ｂで入力された暗証番号とを比較判定する（ステップＳ７１４）。
【０３０３】
ステップＳ７１４の判定で、双方の番号が一致しない場合（ＮＧの場合）には、ＩＣカード処理部７０３は、ＩＣカードをカード挿入口７０１ａから返却する（ステップＳ７１５）。ただし、ここで、ＩＣカードを返却せずに、店員に暗証番号が一致しない旨を報知し、店員がそのＩＣカードを利用した遊技者に、例えば、生年月日や電話番号などを質問し、遊技者による回答が、実際に登録されているものと一致すれば、忘れた暗証番号の変更手続きを取れるようにしてもよい。
【０３０４】
一方、ステップＳ７１４の判定で、双方の番号が一致した場合（ＯＫの場合）には、制御部７０２は、有価情報などを読み取る（ステップＳ７１６）。
【０３０５】
次に、特殊景品ボタン７０１ｅが押されたが否かを選択ボタン検知部７０５が判定する（ステップＳ７１７）。
【０３０６】
ステップＳ７１７の判定で、Ｎｏの場合には、景品交換が要求されているものが、一般景品の、例えば、タバコやジュースなどであり、一般景品選択部７０１ｆで選択された景品および数量の情報を選択ボタン検知部７０５が判定する（ステップＳ７１８）。
【０３０７】
選択ボタン検知部７０５で判定された検知信号は、制御部７０２を介して景品払出処理部７０６に出力される。選択された一般景品は、その種別と数量が表示部７０１ｄに表示される（ステップＳ７１９）。  
【０３０８】
そして、制御部７０２において、払出景品在庫数から払い出された景品の数量を差し引き、その情報を景品払出処理部７０６に出力し、景品払出処理部７０６では払出景品在庫数の情報を更新する（ステップＳ７２０）。
【０３０９】
ステップＳ７１７の判定で、特殊景品ボタン７０１ｅが押されたと判定された場合（ステップＳ７１７のＹｅｓ）には、景品払出処理部７０６において、景品払出機１０が併設されているか否かが判定される（ステップＳ７２１）。
【０３１０】
ステップＳ７２１の判定で、Ｙｅｓの場合には、制御部７０２は、有価情報から払い出される特殊景品Ｗの種類およびその個数などを算出し、その算出した情報を景品払出処理部７０６および表示部７０１ｄに出力する。そして、景品払出処理部７０６は、その算出した特殊景品Ｗの払い出しに関する情報を景品払出機１０に出力し、景品払出機１０から景品を払い出させる（ステップＳ７２２）。また、表示部７０１ｄは、その算出した特殊景品Ｗの払い出しに関する情報に基づいて、払い出される特殊景品Ｗの種類および数量などを表示する。
【０３１１】
ここで、景品管理機（ＰＯＳ）７０１から特殊景品Ｗの払い出しに関する情報を入力した景品払出機１０は、その情報に基づいて、上述した景品払出機１０の動作により特殊景品Ｗを払い出す。
【０３１２】
ステップＳ７２１の判定で、Ｎｏの場合には、制御部７０２は、有価情報から払い出される特殊景品Ｗの種類およびその個数などを算出し、その算出した情報を表示部７０１ｄに出力する。そして、表示部７０１ｄは、その算出した特殊景品Ｗの払い出しに関する情報に基づいて、払い出される特殊景品Ｗの種類および数量などを表示する。この場合には、店員などによって、その表示部７０１ｄの表示に基づいて、景品が払い出される（ステップＳ７２３）。
【０３１３】
そして、制御部７０２において、特殊景品在庫数から払い出された特殊景品の数量を差し引き、その情報を景品払出処理部７０６に出力し、景品払出処理部７０６では特殊景品在庫数の情報を更新する（ステップＳ７２４）。
【０３１４】
次に、再度、ＩＣカード処理部７０３においてＩＣカードが挿入されているか否かが判定される（ステップＳ７２５）。
【０３１５】
ステップＳ７２５の判定で、Ｎｏの場合には、景品と交換された貯玉数などの有価情報および払い出された景品の種類や個数は、景品払出処理部７０６に記憶される（ステップＳ７２６）。なお、景品払出処理部７０６に記憶されたこれらの情報は、所定期間記憶されている。
【０３１６】
ステップＳ７２５の判定で、Ｙｅｓの場合には、景品と交換された貯玉数などの有価情報および払い出された景品の種類や個数は、景品払出処理部７０６に記憶される（ステップＳ７２７）。また、制御部７０２は、この景品と交換された貯玉数などの有価情報に基づいて、有価情報を更新し、更新した有価情報をＩＣカード処理部７０３に出力する。ＩＣカード処理部７０３は、その更新した有価情報に基づいてＩＣカードの有価情報を更新し、ＩＣカード挿入口７０１ａからＩＣカードを返却する（ステップＳ７２７）。
【０３１７】
続いて、制御部７０２は、選択ボタン検知部７０５からの情報に基づいて、入力用テンキーボード７０１ｂに設けられた景品カートリッジ取出ボタンが押されたか否かを判定する（ステップＳ７２８）。ここで、景品カートリッジ取出ボタンは、景品払出機１０内に装填されている景品カートリッジ１３を景品払出機１０から取り出す際に押されるボタンであり、景品管理機（ＰＯＳ）７０１からも、取り出しに関する指示を景品払出機１０に出すことができる。
【０３１８】
ここで、景品カートリッジ１３の取り出しに関する指示は、景品管理機（ＰＯＳ）７０１から以外にも、例えば、景品払出機１０の操作表示パネル２１に設けられたテンキー２１ｆなどによって行うこともできる。
【０３１９】
ステップＳ７２８の判定で、Ｎｏの場合には、制御部７０２は待機状態となる。
【０３２０】
一方、ステップＳ７２８の判定で、Ｙｅｓの場合には、景品払出処理部７０６は、景品払出機１０に接続解除移送指示情報を出力する（ステップＳ７２９）。この接続解除移送指示情報とは、景品払出機１０において、景品支持部３５０を景品支持部３５０の支持部材２０１の上面がカートリッジ設置板２０４より下方に位置するまで下降させ、景品カートリッジ１３を景品カートリッジ挿入口１２から取り出し可能な位置に移動するための情報である。
【０３２１】
この接続解除移送指示情報を入力した景品払出機１０では、景品支持部３５０を下降させる方向にステッピング駆動モータ３０１を回転し、景品支持部３５０の支持部材２０１の上面がカートリッジ設置板２０４より下方に位置するまで景品支持部３５０を下降させる。続いて、下部ユニット２３の底部に設置されたステッピング駆動モータ２０６を回転させ、景品カートリッジ１３を景品カートリッジ挿入口１２から取り出し可能な位置に移動する。
【０３２２】
続いて、制御部７０２は、暗証番号入力要求情報を表示部７０１ｄに出力し、表示部７０１ｄは、その情報に基づいて、例えば「暗証番号を入力して下さい」などを表示する（ステップＳ７３０）。
【０３２３】
制御部７０２は、選択ボタン検知部７０５からの情報に基づいて、入力用テンキーボード７０１ｂから入力された暗証番号と、予め記録された暗証番号が一致するか否かを判定する（ステップＳ７３１）。  
【０３２４】
ステップＳ７３１の判定で、Ｎｏの場合には、制御部７０２は、暗証番号が異なることを表示する情報を表示部７０１ｄに出力し、表示部７０１ｄは、その情報に基づいて、例えば「暗証番号が違います」などを表示する（ステップＳ７３２）。
【０３２５】
一方、ステップＳ７３１の判定で、Ｙｅｓの場合には、制御部７０２は、景品払出処理部７０６に景品払出機１０のカートリッジ挿入口扉２５の施錠機構２６を開錠する情報を出力する（ステップＳ７３３）。景品払出処理部７０６は、その情報を景品払出機１０に出力し、景品払出機１０の制御手段２８は、その情報に基づいて、施錠機構２６を開錠し、カートリッジ挿入口扉２５を開閉可能な状態にする。
【０３２６】
さらに、制御部７０２は、カートリッジ挿入口扉２５が開閉可能となったことを表示する情報を表示部７０１ｄに出力し、表示部７０１ｄは、その情報に基づいて、例えば「カートリッジ挿入口扉を開くことができます」などを表示する（ステップＳ７３４）。なお、この表示は、景品払出機１０の表示部２１ａに表示させることもできる。
【０３２７】
上記した景品払出システム７００によれば、上述した景品払出機１０の特徴に加え、景品払出機１０に景品管理機（ＰＯＳ）７０１を併設しシステム化することで、特殊景品Ｗの払い出しを景品管理機（ＰＯＳ）７０１からの情報に基づいて、一貫して自動的に行うことができる。
【０３２８】
また、景品払出機１０に装填された景品カートリッジ１３の取り出しを指示する景品カートリッジ取出ボタンが景品管理機（ＰＯＳ）７０１に設けられているので、景品管理機（ＰＯＳ）７０１からの指示により、景品払出機１０に装填された景品カートリッジ１３を自動的に取り出し可能な位置に移動させることができる。また、通常、従業員が入力操作などを行う景品管理機（ＰＯＳ）７０１から景品払出機１０に装填された景品カートリッジ１３の取り出しを指示することができるので、従業員がわざわざ景品払出機１０までいって取り出しを指示する手間を省くことができ、作業効率の向上を図ることができる。
【図面の簡単な説明】
【０３２９】
【図１】本発明の一実施形態における景品払出機の正面からの斜視図。
【図２】本発明の一実施形態における背面扉が閉じられた状態の景品払出機の背面からの斜視図。
【図３】本発明の一実施形態における背面扉が開かれた状態の景品払出機の背面からの斜視図。
【図４】景品カートリッジの斜視図。
【図５】景品カートリッジを移動する際の景品カートリッジの斜視図。
【図６】景品カートリッジの一方の側面の一部を示す斜視図。
【図７】景品カートリッジを景品カートリッジ挿入口に挿入する様子を示す斜視図。
【図８】施錠機構および施錠機構に係止されるカートリッジ挿入口扉の断面図。
【図９】施錠機構および施錠機構に係止されるカートリッジ挿入口扉の断面図。
【図１０】景品払出機の一部の内部構造を示した斜視図。
【図１１】景品カートリッジがカートリッジ設置板に載置された状態を示す平面図。
【図１２】リフト機構の構成を示す図。
【図１３】景品支持部の一部を断面とした図。
【図１４】上部ユニットおよび景品払出ユニットの断面図。
【図１５】当接部を特殊景品が当接する方向からみたときの平面図。
【図１６】特殊景品が当接する当接部の側面からの平面図。
【図１７】施錠機構および施錠機構に係止されるカートリッジ挿入口扉の断面図。
【図１８】施錠機構および施錠機構に係止されるカートリッジ挿入口扉の断面図。
【図１９】施錠機構および施錠機構に係止されるカートリッジ挿入口扉の断面図。
【図２０】施錠機構および施錠機構に係止されるカートリッジ挿入口扉の断面図。
【図２１】施錠機構および施錠機構に係止されるカートリッジ挿入口扉の断面図。
【図２２】施錠機構および施錠機構に係止されるカートリッジ挿入口扉の断面図。
【図２３】景品支持部の上部に移動する状態を示す断面図。
【図２４】景品支持部の上部に移動する状態を示す断面図。
【図２５】景品支持部の上部に移動する状態を示す断面図。
【図２６】当接部の位置の設定における流れ図。
【図２７】上部ユニットの動作を示す断面図。
【図２８】上部ユニットの動作を示す断面図。
【図２９】上部ユニットの動作を示す断面図。
【図３０】景品払出ユニットの動作を示す断面図。
【図３１】景品払出ユニットの動作を示す断面図。
【図３２】景品払出機の構成部を示す図。
【図３３】景品払出機１０における動作の流れを示す図。
【図３４】景品払出機１０における動作の流れを示す図。
【図３５】景品払出システムの一例を示す概要図。
【図３６】景品管理機（ＰＯＳ）の構成部を示す図。
【図３７】景品管理機（ＰＯＳ）における動作の流れを示す図。
【符号の説明】
【０３３０】
１０…景品払出機、１２…景品カートリッジ挿入口、１３…景品カートリッジ、１４…景品払出ユニット、１７…排出天板、２１…操作表示パネル、２２…上部ユニット、２３…下部ユニット、２４…景品搬送ユニット、２５…カートリッジ挿入口扉、１００…景品収納部、１０８…位置検知センサ、２００…カートリッジガイドレール、２０２…昇降台、２０３…ガイドローラ、２０４…カートリッジ設置板、２０５…切欠部、２０６…ステッピング駆動モータ、２０７…タイミングベルト、３００…リフト機構、３０１…ステッピング駆動モータ、３０２…ギヤ部、３０３…スパイラルシャフト、３０４…リニアシャフト。
【図１】
0004486830.tif 000002
【図２】
0004486830.tif 000003
【図３】
0004486830.tif 000004
【図４】
0004486830.tif 000005
【図５】
0004486830.tif 000006
【図６】
0004486830.tif 000007
【図７】
0004486830.tif 000008
【図８】
0004486830.tif 000009
【図９】
0004486830.tif 000010
【図１０】
0004486830.tif 000011
【図１１】
0004486830.tif 000012
【図１２】
0004486830.tif 000013
【図１３】
0004486830.tif 000014
【図１４】
0004486830.tif 000015
【図１５】
0004486830.tif 000016
【図１６】
0004486830.tif 000017
【図１７】
0004486830.tif 000018
【図１８】
0004486830.tif 000019
【図１９】
0004486830.tif 000020
【図２０】
0004486830.tif 000021
【図２１】
0004486830.tif 000022
【図２２】
0004486830.tif 000023
【図２３】
0004486830.tif 000024
【図２４】
0004486830.tif 000025
【図２５】
0004486830.tif 000026
【図２６】
0004486830.tif 000027
【図２７】
0004486830.tif 000028
【図２８】
0004486830.tif 000029
【図２９】
0004486830.tif 000030
【図３０】
0004486830.tif 000031
【図３１】
0004486830.tif 000032
【図３２】
0004486830.tif 000033
【図３３】
0004486830.tif 000034
【図３４】
0004486830.tif 000035
【図３５】
0004486830.tif 000036
【図３６】
0004486830.tif 000037
【図３７】
0004486830.tif 000038